(57)【要約】【課題】通信の相手先となる発信側と着信側との相互のユーザの状態を反映した情報に基づいて通信回線（通信路）の接続を制御できるようにする。【解決手段】制御部２は目的とする通信の相手先のユーザの状態を反映する情報の提供を要求する提供要求を形成し、これを通信部１３を通じて目的とする相手先に送信する。この提供要求に応じて、目的とする相手先から返信されてくる相手先のユーザの状態を反映する情報を通信部１３を通じて受け付け、条件判断部１４により、目的とする相手先からのユーザの状態を反映する情報と、自機のユーザの状態を反映する情報とを比較し、決められた条件を満足するか否かを判断し、条件を満足すると判断した場合においてのみ、目的とする通信の相手先との間に通信回線を接続するようにする。【選択図】図１
2006279218.tif 000002
【特許請求の範囲】
【請求項１】
目的とする相手先との間で通信を行うようにするための通信手段と、
ユーザの状態を反映する情報を検出する検出手段と、
ユーザからの指示入力を受け付ける受付手段と、
前記受付手段を通じて、通信を行うことの指示入力を受け付けた場合に、通信の相手先のユーザの状態を反映する情報の提供要求を形成して、これを前記通信手段を通じて目的とする相手先に送信するようにする要求形成手段と、
前記通信手段を通じて受け付けられる前記提供要求に応じて送信されてくる前記目的とする相手先からの情報と、前記検出手段によって検出される情報とを比較し、予め決められた条件を満足するか否かを判断する条件判断手段と、
前記条件判断手段において、条件を満足していると判断された場合に、前記通信手段を通じて、前記目的とする相手先との間に通信回線を接続するように制御する制御手段と
を備えることを特徴とする通信端末。
【請求項２】
請求項１に記載の通信端末であって、
コンテンツデータの再生手段を備え、
前記検出手段は、前記再生手段で再生されているコンテンツデータに関連する情報を検出するものであり、
前記通信の相手先のユーザの状態を反映する情報は、通信の相手先で再生するようにされているコンテンツデータに関連する情報であることを特徴とする通信端末。
【請求項３】
請求項１に記載の通信端末であって、
前記検出手段は、ユーザの生体情報を検出するものであり、
前記通信の相手先のユーザの状態を反映する情報は、通信の相手先のユーザの生体情報であることを特徴とする通信端末。
【請求項４】
請求項１に記載の通信端末であって、
コンテンツデータの再生手段を備え、
前記検出手段は、
前記再生手段で再生されているコンテンツデータに関連する情報を検出する手段と、ユーザの生体情報を検出する手段とからなり、
前記通信の相手先のユーザの状態を反映する情報は、通信の相手先で再生するようにされているコンテンツデータに関連する情報と、通信の相手先のユーザの生体情報とであることを特徴とする通信端末。
【請求項５】
通信を行うことの指示入力を受け付けた場合に、通信の相手先のユーザの状態を反映する情報の提供要求を形成し、当該提供要求を目的とする相手先に送信する要求送信ステップと、
自機のユーザの状態を反映する情報を検出する検出ステップと、
前記提供要求に応じて送信されてくる前記目的とする相手先からの情報と、前記検出ステップにおいて検出した情報とを比較し、予め決められた条件を満足するか否かを判断する条件判断ステップと、
前記条件判断ステップにおいて、条件を満足していると判断した場合に、前記目的とする相手先との間に通信回線を接続するように制御する制御ステップと
を有することを特徴とする通信接続方法。
【請求項６】
発信元の通信端末と着信先の通信端末とが、サーバ装置と所定のネットワークを通じて接続されて形成される通信システムであって、
前記発信元の通信端末は、
通信を行うようにするための通信手段と、
ユーザの状態を反映する発信元状態情報を検出する検出手段と、
ユーザからの指示入力を受け付ける受付手段と、
前記受付手段を通じて、通信を行うことの指示入力を受け付けた場合に、通信回線の接続要求と、前記検出手段により検出した発信元状態情報とを、前記通信手段を通じて、前記サーバ装置に送信するようにする送信情報形成手段と
を備え、
前記サーバ装置は、
通信を行うようにするための通信手段と、
前記通信手段を通じて前記発信元の通信端末からの前記接続要求と、前記発信元状態情報とを受け付ける情報受付手段と、
前記情報受付手段を通じて受け付けた前記接続要求に基づいて、目的とする着信先の通信端末に対して、当該着信先の通信端末のユーザの状況を反映する着信先状態情報の提供を要求する提供要求を形成し、これを前記通信手段を通じて前記目的とする着信先の通信端末に送信するようにする要求形成手段と、
前記提供要求に応じて送信されてくる前記目的とする着信先からの着信先状態情報と、前記発信元からの前記発信元状態情報とを比較し、予め決められた条件を満足するか否かを判断する条件判断手段と、
前記条件判断手段において、条件を満足していると判断された場合に、前記発信元の通信端末と、前記着信元の通信端末との間に通信回線を接続するようにする接続制御手段と、
を備え、
前記着信先の通信端末は、
通信を行うようにするための通信手段と、
ユーザの状態を反映する着信先状態情報を検出する検出手段と、
前記通信手段を通じて前記サーバ装置からの提供要求を受け付ける要求受付手段と、
前記要求受付手段を通じて、前記サーバ装置からの前記提供要求を受け付けた場合に、前記検出手段によって検出した前記着信先状態情報を前記通信手段を通じて前記サーバ装置に送信するようにする情報返信手段と
を備えることを特徴とする通信システム。
【請求項７】
発信元の通信端末と着信先の通信端末とが、サーバ装置と所定のネットワークを通じて接続されて形成される通信システムの前記発信元の通信端末であって、
通信を行うようにするための通信手段と、
ユーザの状態を反映する発信元状態情報を検出する検出手段と、
ユーザからの指示入力を受け付ける受付手段と、
前記受付手段を通じて、通信を行うことの指示入力を受け付けた場合に、通信回線の接続要求と、前記検出手段により検出した発信元状態情報とを、前記通信手段を通じて、前記サーバ装置に送信するようにする送信情報形成手段と
を備えることを特徴とする通信端末。
【請求項８】
発信元の通信端末と着信先の通信端末とが、サーバ装置と所定のネットワークを通じて接続されて形成される通信システムの前記サーバ装置であって、
通信を行うようにするための通信手段と、
前記通信手段を通じて前記発信元の通信端末からの前記接続要求と、前記発信元の通信端末のユーザの状態を反映する発信元状態情報とを受け付ける情報受付手段と、
前記情報受付手段を通じて受け付けた前記接続要求に基づいて、目的とする着信先の通信端末に対して、当該着信先の通信端末のユーザの状況を反映する着信先状態情報の提供を要求する提供要求を形成し、これを前記通信手段を通じて前記目的とする着信先の通信端末に送信するようにする要求形成手段と、
前記提供要求に応じて送信されてくる前記目的とする着信先からの着信先状態情報と、前記発信元からの前記発信元状態情報とを比較し、予め決められた条件を満足するか否かを判断する条件判断手段と、
前記条件判断手段において、条件を満足していると判断された場合に、前記発信元の通信端末と、前記着信元の通信端末との間に通信回線を接続するようにする接続制御手段と、
を備えることを特徴とするサーバ装置。
【請求項９】
発信元の通信端末と着信先の通信端末とが、サーバ装置と所定のネットワークを通じて接続されて形成される通信システムの前記着信先の通信端末であって、
通信を行うようにするための通信手段と、
ユーザの状態を反映する着信先状態情報を検出する検出手段と、
前記通信手段を通じて前記サーバ装置からの前記着信先状態情報の提供要求を受け付ける要求受付手段と、
前記要求受付手段を通じて、前記サーバ装置からの前記提供要求を受け付けた場合に、前記検出手段によって検出した前記着信先状態情報を前記通信手段を通じて前記サーバ装置に送信するようにする情報返信手段と
を備えることを特徴とする通信端末。
【請求項１０】
発信元の通信端末と着信先の通信端末とが、サーバ装置と所定のネットワークを通じて接続されて形成される通信システムにおいての通信接続方法であって、
前記発信元の通信端末においては、
ユーザの状態を反映する発信元状態情報を検出し、
通信を行うことの指示入力を受け付けた場合に、通信回線の接続要求と、前記検出手段により検出した発信元状態情報とを、前記サーバ装置に送信し、
前記サーバ装置においては、
前記発信元の通信端末からの前記接続要求を受け付けた場合に、目的とする着信先の通信端末に対して、当該着信先の通信端末のユーザの状況を反映する着信先状態情報の提供を要求する提供要求を形成し、これを前記通信手段を通じて前記目的とする着信先の通信端末に送信し、
前記着信先の通信端末においては、
前記サーバ装置からの前記提供要求を受け付けた場合に、ユーザの状態を反映する着信先状態情報を検出し、
検出した前記着信先状態情報を前記サーバ装置に送信し、
前記サーバ装置においては、
前記提供要求に応じて送信されてくる前記目的とする着信先からの着信先状態情報と、前記発信元からの前記発信元状態情報とを比較し、予め決められた条件を満足するか否かを判断し、
前記条件判断手段において、条件を満足していると判断された場合に、前記発信元の通信端末と、前記着信元の通信端末との間に通信回線を接続するようにする
ことを特徴とする通信接続方法。
【発明の詳細な説明】
【技術分野】
【０００１】
この発明は、例えば、携帯電話端末、通信機能を備えたパーソナルコンピュータや携帯情報端末などの通信端末、通信端末とサーバ装置とにより形成される通信システム、これら装置、システムにおいて用いられる通信接続方法に関する。
【背景技術】
【０００２】
携帯電話端末や通信機能を備えた例えばパーソナルコンピュータなどの情報通信端末を用いて、通話やデータ通信などの種々の態様の通信が行われている。例えば、後に記す特許文献１には、移動通信端末機の使用者が希望する条件を満たす相手方を検索して１対１のチャット（会話）がリアルタイムで行えるようにする技術が開示されている。
【０００３】
この特許文献１に記載の技術場合、チャットサーバが会員に関する身上情報および条件情報を記憶保持し、移動通信端末機の使用者からチャット要求がある場合に、まず、会員の身上情報を用いて当該使用者が希望する条件にあった相手先を検索し、検索された会員の条件情報と、当該使用者の条件情報とを用いて、当該使用者がチャットを行う会員を特定して、その特定した会員との間で当該使用者がチャットを行うようにする技術が開示されている。
【０００４】
この特許文献１に記載の技術を用いることによって、チャットの新たな接続形態が実現され、身上情報により絞られ、相互の条件情報によってさらに絞られて選択された会員との間で１対１でチャットを行うことができるようにされ、効率的に有効な情報の交換を行うことなどができるようにされている。
【０００５】
なお、上述した特許文献１は、以下の通りである。
【特許文献１】特開２００１−３２５２０１号公報
【発明の開示】
【発明が解決しようとする課題】
【０００６】
ところで、上述した特許文献１に記載の技術の場合、チャットサーバに身上情報や条件情報等の所定の情報を予め用意しておくようにすることによって、チャットの相手先を自動的に絞り込んで選択できるようにすることが可能である。しかし、通信接続に際しては、従来と同様の処理を行うことになる。すなわち、従来の通信接続においては、接続要求を受信した着信側の機器が接続可能な状態であれば、基本的には接続を行う。
【０００７】
例えば、携帯電話端末においては、電源がオンであり、着信拒否が設定されていない場合には、自機への着信を受け付けて、呼び出し音を鳴動させる。これに応じて、当該着信側の携帯電話端末のユーザが、着信に応答するようにするいわゆるオフフック操作を行うことによって、電話回線が接続されて通話が可能となる。
【０００８】
また、インターネットに接続中のユーザを一覧し、その中の任意のユーザとリアルタイムにチャットをできるようにするアプリケーションであるいわゆるインスタント・メッセンジャーにおいても、相手がオフラインであれば接続を行えないが、相手がオンラインであれば接続を行う。
【０００９】
このようなインスタント・メッセンジャーと呼ばれるアプリケーションの中には、「オンライン」か「オフライン」以外に、「オンライン」のときの相手の状態として、「取り込み中」、「一時退席中」、「退席中」、「電話中」、「昼休み中」などの情報を送信できるようにしたものも提供されている。
【００１０】
しかしながら、着信拒否の設定や「取り込み中」、「一時退席中」などの状態通知の設定を行っていなければ、ユーザの状態にかかわらず、着信の通知を行うことになる。着信拒否の設定をしておけば、自機への着信を拒否し、呼び出し音の放音処理等を行うことはない。
【００１１】
しかし、「取り込み中」、「一時退席中」などの状態通知の設定の場合、これは着信側の状態を発信側のユーザに通知する手段に過ぎず、通信の処理に影響を与えることはない。また、着信拒否の設定やユーザの状態通知の設定は、着信側の機器のユーザが意識的に手動で行わなければならない。
【００１２】
このように、従来の通信接続においては、着信側のユーザが応答できる状態にあるか否かは自動的に考慮できるものではなく、考慮するようにするためには、着信拒否の設定や状態通知の設定を通信機器のユーザが意識的にしなければならないという煩わしさの問題があった。
【００１３】
以上のことにかんがみ、この発明は、通信の相手先となる発信側と着信側との相互のユーザの状態を反映した情報に基づいて通信回線（通信路）の接続を制御することができるようにする装置、システム、方法を提供することを目的とする。
【課題を解決するための手段】
【００１４】
上記課題を解決するため、請求項１に記載の発明の通信端末は、
目的とする相手先との間で通信を行うようにするための通信手段と、
ユーザの状態を反映する情報を検出する検出手段と、
ユーザからの指示入力を受け付ける受付手段と、
前記受付手段を通じて、通信を行うことの指示入力を受け付けた場合に、通信の相手先のユーザの状態を反映する情報の提供要求を形成して、これを前記通信手段を通じて目的とする相手先に送信するようにする要求形成手段と、
前記通信手段を通じて受け付けられる前記提供要求に応じて送信されてくる前記目的とする相手先からの情報と、前記検出手段によって検出される情報とを比較し、予め決められた条件を満足するか否かを判断する条件判断手段と、
前記条件判断手段において、条件を満足していると判断された場合に、前記通信手段を通じて、前記目的とする相手先との間に通信回線を接続するように制御する制御手段と
を備えることを特徴とする。
【００１５】
この請求項１に記載の発明の通信端末によれば、受付手段を通じて通信を行うことの指示入力が受け付けられると、要求形成手段によって、目的とする通信の相手先のユーザの状態を反映する情報の提供を要求する提供要求が形成され、これが通信手段を通じて目的とする相手先に送信される。この提供要求に応じて、目的とする相手先から返信されてくる相手先のユーザの状態を反映する情報が受け付けられる。
【００１６】
そして、条件判断手段によって、目的とする相手先からの情報と、検出手段によって検出される情報とが比較され、予め決められた条件を満足するか否かが判断され、条件を満足すると判断される場合においてのみ、制御手段によって、目的とする通信の相手先との間に通信回線が接続するようにされる。
【００１７】
このように、自機のユーザの状態を反映する情報と、目的とする通信の相手先のユーザの状態を反映する情報とが、予め決められる所定の条件を満足する場合にのみ通信回線を接続することができるようにされる。すなわち、自機のユーザの状態を反映する情報と、目的とする通信の相手先のユーザの状態を反映する情報とが、例えば同じ場合や類似する場合にのみ通信回線を接続することができるようにされる。通信によるコミュニケーションを活発に行うことができる可能性の高い相手先との間において通信回線を接続することができるようにされる。また、目的とする相手先の通信端末においては、何らかの設定操作を行うなどの面倒な手続を経ることなく、不必要な着信については何ら応答することなく回避することができるようにされる。
【発明の効果】
【００１８】
この発明によれば、コミュニケーションを活発に行うことができる可能性の高い相手先との間においてのみ通信回線を接続することができる。また、着信先のユーザにとっては、望まない着信を自機においては何らの処理を行うことも無く、自動的に回避することができる。
【発明を実施するための最良の形態】
【００１９】
以下、図を参照しながら、この発明の一実施の形態について説明する。
【００２０】
［第１の実施の形態］
まず、この発明による通信端末、通信接続方法の第１の実施の形態について説明する。この第１の実施の形態の通信端末１００は、音楽などの音声データ、静止画像データ、動画像データ等のコンテンツデータの再生機能を備え、自機と通信の相手先となる１つ以上の通信端末においてコンテンツが再生されており、しかも再生されているコンテンツについての情報がある条件を満足する場合においてのみ、その通信端末間において通信回線の接続を行うことができるようにするものである。
【００２１】
この第１の実施の形態において、発信側である通信元の通信端末および着信側である通信先の通信端末とも、この第１の実施の形態の通信端末として説明する通信端末１００の構成を有し、種々のコンテンツデータの再生機能を備えたものである。
【００２２】
また、この第１の実施の形態において、通信端末１００は、家庭などに設置されて使用される通信機能を備えたパーソナルコンピュータや携帯電話端末や携帯情報通信端末などの種々の機器に適用可能なものである。しかし、説明を簡単にするため、この第１の実施の形態の通信端末１００は、音楽再生機能を備えた携帯電話端末であるものとして説明する。
【００２３】
図１は、この第１の実施の形態の通信端末１００を説明するためのブロック図である。図１に示すように、この第１の実施の形態の通信端末１００は、大きく分けると、通信系１と、制御部２と、入力部３と、コンテンツ再生系とからなるものである。通信系１は、アドレスデータベース１１と、アドレス管理部１２と、通信部１３と、条件判断部１４を備えたものである。また、コンテンツ再生系４は、コンテンツデータベース４１と、コンテンツ管理部４２と、コンテンツ再生部４３と、表示部４４と、放音部４５とを備えたものである。
【００２４】
制御部２は、通信端末１００の全体を制御するものであり、図示しないが、ＣＰＵ（Central Processing Unit）、ＲＯＭ（Read Only Memory）、ＲＡＭ（Random Access Memory）、ＥＥＰＲＯＭ（Electrically Erasable and Programmable ROM）などを備え、マイクロコンピュータの構成とされたものである。
【００２５】
ここで、ＣＰＵは、プログラムを実行し、各部に供給する制御信号を形成するなど制御の主体となるものであり、ＲＯＭは、ＣＰＵにおいて実行するプログラムや処理に必要になるデータなどを記憶保持するものである。また、ＲＡＭは、主に各種の処理において、作業領域（ワークエリア）として用いられるものであり、ＥＥＰＲＯＭ（Electrically Erasable and Programmable ROM）は、書き換え可能ないわゆる不揮発性メモリであり、電源が落とされても保持しておくべきパラメータなどを記憶保持するものである。
【００２６】
入力部３は、種々の操作キーや操作スイッチ等を備え、コンテンツの再生指示入力や通信の開始指示入力など、ユーザからの種々の指示入力を受け付け、これを電子信号に変換して制御部２に供給する。これにより、制御部２は、入力部３を通じて供給されるユーザからの指示入力に応じて、通信端末１００の各部を制御することができるようにされる。
【００２７】
コンテンツデータベース４１は、種々のコンテンツデータを記憶保持するものである。この第１の実施の形態の通信装置１００において、コンテンツデータベース４１は、例えば、記録媒体として小型化されたハードディスクを備えたハードディスクドライブである。もちろん、ＤＶＤ（Digital Versatile Disc）やＣＤ（Compact Disc）などの光ディスクを記録媒体として用いる光ディスクドライブやＭＤ（Mini Disc（登録商標））などの光磁気ディスクを記録媒体として用いる光磁気ディスクドライブ、半導体メモリを記録媒体として用いるメモリドライブなどの種々のものを用いるように構成することも可能である。
【００２８】
コンテンツ管理部４２は、コンテンツデータベース４１に対してコンテンツデータを書き込んだり、コンテンツデータベース４１に記録されているコンテンツデータを読み出したりする処理を行う。コンテンツ再生部４３は、コンテンツ管理部４２を通じてコンテンツデータベース４１から読み出したコンテンツデータをデコードし、表示部４４に供給する映像信号や、放音部４５に供給する音声信号を形成する。
【００２９】
表示部４４は、ＬＣＤ（Liquid Crystal Display）、有機ＥＬ（Electro Luminescence）ディスプレイ、ＰＤＰ（Plasma Display Panel）、ＣＲＴ（Cathode-Ray Tube）等の表示素子を備え、コンテンツ再生部４３からの再生用のアナログ映像信号の供給を受けて、当該映像信号に応じた映像を表示画面に表示することができるものである。放音部４５は、いわゆる電気音響変換機能を実現するスピーカであり、コンテンツ再生部４３からのアナログ音声信号の供給を受けて、当該音声信号に応じた音声を放音させることができるものである。
【００３０】
このような構成を有するコンテンツ再生系４は、制御部２の制御に応じて、コンテンツ管理部４２がコンテンツデータベース４１から再生対象のコンテンツデータを読み出して、コンテンツ再生部４３に供給する。上述もしたように、コンテンツデータには、音声データ、静止画像データ、動画像データ、テレビ番組や映画などの音声データと動画像データとを同期を取って再生するようにするいわゆるＡＶ（Audio/Visual）データなど種々のものがあるが、ここでは、いわゆるＡＶデータが読み出されて再生される場合を例にして説明する。
【００３１】
コンテンツ再生部４３は、これに供給されたコンテンツデータであるＡＶデータをデコード処理して、アナログ映像信号とアナログ音声信号とを形成し、アナログ映像信号は表示部４４に、アナログ音声信号は放音部４５に供給する。これにより、再生対象のコンテンツデータに応じた映像と音声とが表示部４４、放音部４５を通じて再生されてユーザに提供される。
【００３２】
なお、ここではＡＶデータを再生する場合を例にして説明したが、これに限るものではない。例えば、楽曲などの音声データのみを再生したり、静止画像データや動画像データのみを再生したりすることももちろん可能である。すなわち、コンテンツ再生部４３は、音声データのみのコンテンツデータ、静止画像データのみのコンテンツデータ、動画像データのみのコンテンツデータについても不都合なくデコード等の再生処理を行うことができるものである。
【００３３】
一方、アドレスデータベース１１は、通信を行う相手先のアドレス情報、例えば、氏名、住所、電話番号、電子メールアドレスなどの情報を記憶保持するものである。アドレス管理部１２は、アドレスデータベース１１にアドレスデータを書き込んだり、アドレスデータベース１１から必要なアドレスデータを読み出したりするものである。
【００３４】
通信部１３は、ネットワークを通じて通信の相手先の通信端末との間に通信回線を接続し、この第１の実施の形態の場合には通話を行うことができるようにするものである。したがって、図示しないが、通信部１３は、受信部、送信部、コーデック、受話器（スピーカ）、送話器（マイクロホン）、着信音やアラーム音などを発生させるいわゆるリンガ回路などを備えたものである。
【００３５】
条件判断部１４は、自機のユーザの状態を反映する情報と、通信の相手先のユーザの状態を示す情報とを比較し、これらが予め設定される所定の条件を満足するか否かを判断し、満足する場合にのみ通信部１３を制御して通信回線を接続するようにするものである。
【００３６】
この第１の実施の形態の通信端末１００において、条件判断部１４は、詳しくは後述もするが、コンテンツデータを再生している最中に通信を行うようにした場合に、通信先の通信端末でコンテンツデータを再生しており、そのコンテンツデータと、通信元である自機において再生しているコンテンツデータとが、予め設定される所定の条件を満足するか否かを判断し、満足する場合にのみ通信部１３を制御して通信回線を接続するようにしている。
【００３７】
このように、再生しているコンテンツデータについての情報を用いるようにするのは、再生しているコンテンツデータは、これを利用しているユーザの状態などをある程度反映していると考えられ、そのコンテンツデータについての情報は、これを利用しているユーザの現在の状態を推測することができるものであるためである。
【００３８】
なお、アドレスデータベース１１に対しては、入力部３、制御部２、アドレス管理部１２を通じて、新たなアドレスデータを追加登録したり、既に登録されているアドレスデータを削除したり、また、既に登録されているアドレスデータを変更したりするなどのことができるようにしている。
【００３９】
そして、通常、目的とする相手先に対して電話をかける場合には、入力部３を通じてユーザからの通信の開始指示入力（発信指示入力）を受け付けた制御部２がアドレス管理部１２を制御して、目的とする相手先の電話番号をアドレスデータベース１１から読み出し、これを通信部１３に供給する。そして、通信部１３が発呼処理を実行して、目的とする通信先（通信の相手先）を呼び出すようにし、相手先が応答してきた場合に通信回線が接続されて通話が可能になる。
【００４０】
また、通信部１３が自機への着信を検出した場合には、例えば通信部１３が備えるリンガを用いて着信音を放音し、ユーザに着信があることを通知し、入力部３を通じて着信に対して応答する操作が行われた場合に、制御部２が通信部１３を制御し、通信回線を接続して発呼してきた相手先の通信端末との間で通話を行うことができるようにしている。
【００４１】
また、この第１の実施の形態の通信端末１００は、ネットワークおよび通信部１３を通じて、外部のサーバ装置などから種々のコンテンツデータをダウンロードしてきて、制御部２およびコンテンツ管理部４２を通じてコンテンツデータベース４１に記憶保持するようにして、後で再生して利用することもできるものである。
【００４２】
そして、この第１の実施の形態の通信端末１００は、コンテンツ再生系４を利用してコンテンツデータを再生して利用している場合に、入力部３を通じてユーザからの通信を行うようにする指示入力を受け付けると、制御部２は通信系１の各部を制御し、アドレスデータベース１１に登録された通信先（通信の相手先）に対して発信を行うようにし、当該通信先の通信端末からステイタス情報や再生しているコンテンツデータについての情報の返信を受けるようにする。
【００４３】
そして、通信端末１００の条件判断部１４の機能により、自機で再生しているコンテンツデータと通信先で再生されているコンテンツデータとの間において、所定の条件を満足する場合に、通信先において着信を継続させて通信回線を接続するように促し、通信先のユーザがオフフック操作をした場合に通信回線を接続して通話を行えるようにする。
【００４４】
逆に、通信先がコンテンツデータの再生を行っていない場合、あるいは、コンテンツデータは再生しているが、通信先の通信端末で再生しているコンテンツデータと自機（通信元の通信端末）で再生しているコンテンツデータとの間で予め設定された条件を満足しない場合には、着信を中止するようにして、通信先の通信端末においてユーザの呼び出し処理を実行させることなく、通信の接続処理を終了させるようにする。
【００４５】
ここで、コンテンツデータについての所定の条件は、自機（通信元）の通信端末１００で再生しているコンテンツデータと、相手先（通信先）の通信端末で再生されているコンテンツデータとが、同じ（同一）であるとするもの、同じアーティストのものであるとするもの、あるいは、同じジャンルのものであるとするものなど、再生中のコンテンツデータについての条件である。このような所定の条件は、予め通信端末１００に用意されており、ユーザによって予め選択されて、通信端末１００の制御部２内の例えばＥＥＰＲＯＭなどに予め設定される。
【００４６】
そして、通信元の通信端末１００と通信先の通信端末との相互のコンテンツデータの再生状態を判断するために、通信元の通信端末１００には、図１に示したように、条件判断部１４を設け、通信元の通信端末１００の状態と通信先の通信端末の状態との条件判断を行うようにしている。
【００４７】
このようにして、再生しているコンテンツデータが条件に合致した通信端末間において通信接続を可能にすることによって、条件に合致したコンテンツデータを再生中であるという共通点を有することとなる。この場合、双方の通信端末のユーザの意識の少なくとも一部は、再生中のコンテンツに向けられており、しかもその再生中のコンテンツは所定の条件に合致しているので、双方の通信端末のユーザの意識の方向は同じか類似する可能性が高くなり、コミュニケーションのスムーズな導入およびその後のコミュニケーションの活発化を期待することができる。
【００４８】
また、双方の通信端末において、同じコンテンツ、アーティストが同じコンテンツ、ジャンルが同じコンテンツなど、所定の条件に合致したコンテンツが再生されているということは、同じ話題（情報）、類似する話題（情報）を通信の開始前から共有していることになり、このように同じ話題、類似する話題を共有することになる通信端末のユーザ同士で通信を行うことができるので、コミュニケーションの活発化を期待することができる。
【００４９】
換言すれば、コンテンツデータの再生中であり、その再生中のコンテンツが自機において再生しているコンテンツとの間で所定の条件を満たすもの（合致するもの）であるという通信の相手先の状態を確認して通信を行うようにすることによって、通信の発信元は、活発なコミュニケーションを期待できる相手先との間で通信回線を接続して通信を行うようにすることができる。
【００５０】
一方、通信の相手先となる側にとっては、コンテンツデータを再生していない、あるいは、条件に合致しないコンテンツデータを再生しているなどの場合には、通信元のコンテンツデータの再生時においては接続要求がされることは無いので、通信の相手先となる側の通信端末のユーザは、自己の通信端末に対して着信拒否などの設定を一々することなく、不要な自機への接続要求を回避することができる。
【００５１】
なお、図１において、二重線で示したアドレス管理部１２、条件判断部１４、コンテンツ管理部４２、コンテンツ再生部４３のそれぞれの機能は、制御部２において実行されるソフトウェアによって実現することも可能である。
【００５２】
次に、図１に示した第１の実施の形態の通信端末１００において、コンテンツデータの再生中に通信を行うようにした場合の処理について詳細に説明する。図２は、図１に示した通信端末１００において、コンテンツデータの再生中に通信を行うようにした場合に、主に通信系１で行われる処理を説明するためのフローチャートである。
【００５３】
コンテンツ再生系４によりコンテンツデータを再生している場合に、入力部３を通じてユーザから通信を行うようにする要求が受け付けられると、制御部２は通信系１の各部に対して所定の条件に合致したコンテンツデータを再生している他の通信端末との間に通信回線を接続するようにする要求を出す。この要求に応じて、通信系１は、図２に示した処理を開始する。
【００５４】
まず、通信系１の通信部１３は、接続変数に“０（零）”を設定する（ステップＳ１）。この接続変数は接続結果を表す変数であり、接続成功のときには“０”、接続失敗のときに“０”以外となるものである。そして、制御部２からの要求に応じて、アドレス管理部１２がアドレスデータベース１１から通信先として選択した相手先のアドレス（この第１の実施の形態においては電話番号）を通信部１３に供給するので、通信部１３は、アドレス管理部１２から与えられた電話番号に対して発信（発呼）して、通信回線を接続するための通信接続処理を行う（ステップＳ２）。
【００５５】
そして、通信部１３は、通信先から返信されてくるステイタス情報等に基づいて、当該通信先に対して正常に着信が成功したか否かを判断する（ステップＳ３）。ステップＳ３の判断処理において、通信先からステイタス情報が返信されて来ない、あるいは、通話中のステイタスが返信されてきたなど、正常に呼び出しのための着信が成功していないと判断したときには、通信部１３は、接続変数に着信不成功を示す値“１”を設定し（ステップＳ４）、この図２に示す処理を終了する。
【００５６】
ステップＳ３の判断処理において、通信先に対して正常に着信が成功したと判断したときには、通信部１３は、当該通信先に対して、ユーザの状態を反映する情報として、当該通信先の通信端末の動作状態などを示す情報（状態情報）等の提供要求を送信し、当該通信先の通信端末の状態情報等を取得する（ステップＳ５）。
【００５７】
このステップＳ５の処理は、通信先の通信端末の動作状態やその関連情報を取得するものである。ここで動作状態の関連情報は、例えば、動作状態がコンテンツ再生中を示すものである場合には、その再生中のコンテンツの、タイトル、コンテンツタイプ、アーティスト名、ジャンル（コンテンツタイプ別情報）等の情報である。
【００５８】
状態情報とその関連情報は、この第１の実施の形態においては、例えば、（状態情報、タイトル、コンテンツタイプ、アーティスト名、ジャンル）の順で表されるようにされる。したがって、例えば、現代音楽のアーティスト“XXXXXX” の”YYYYYYYYYY”という曲を聴いていた場合は、状態情報とその関連情報は、（再生、YYYYYYYYYY、音楽、XXXXXX、現代音楽）ということになる。
【００５９】
そして、通信部１３は、通信先からの情報に基づいて、通信先の状態情報の取得が成功したか否かを判断する（ステップＳ６）。ステップＳ６の判断処理において、通信先の通信端末の状態情報やその関連情報の取得に成功していない（失敗した）と判断したときには、通信部１３は、接続変数に状態情報の取得不成功を示す値“２”を設定し（ステップＳ７）、ステップＳ２で開始した通信回線の接続処理を中止するための通信切断処理を行い（ステップＳ８）、この図２に示す処理を終了する。
【００６０】
ステップＳ６の判断処理において、通信先の通信端末の状態情報やその関連情報の取得に成功したと判断したときには、通信部１３は、制御部２を通じて自機の状態情報やその関連情報を取得し、これを条件判断部１４に供給する（ステップＳ９）。条件判断部１４は、ステップＳ５で取得した通信先の通信端末の状態情報およびその関連情報と、ステップＳ９で取得した自機の状態情報とその関連情報とを比較し、所定の条件を満足するか否かを判断する（ステップＳ１０）。
【００６１】
ここで、所定の条件は、予めユーザがこの通信端末に対して設定するようにしたものであり、上述もしたように、例えば、「タイトル一致」、「コンテンツタイプ一致」、「アーティスト一致」、「ジャンル一致」などの条件がある。もちろんこの他の条件を設定することも可能であり、例えば、複合的な条件を設定するなどのことも可能である。
【００６２】
そして、ステップＳ５の処理において、通信先の通信端末から取得した情報が、上述した（再生、YYYYYYYYYY、音楽、XXXXXX、現代音楽）であり、また、当該通信元の通信端末（自機）においては、例えば、現代音楽のアーティスト“BBBBBB”の”AAAAAAAAAA”という曲を再生しており、ステップＳ９おいては、自己の状態情報とその関連情報として、（再生、AAAAAAAAAA、音楽、BBBBBB、現代音楽）という状態が取得されたとする。
【００６３】
この場合、予め設定された所定の条件が、「タイトル一致」や「アーティスト一致」である場合には、条件を満足しないが、予め設定された所定の条件が、「ジャンル一致」である場合には、条件を満足することになる。
【００６４】
そして、ステップＳ１０の判断処理において、条件を満足しないと判断したときには、接続変数に条件不一致を示す値“３”をセットし（ステップＳ１１）、ステップＳ２で開始するようにした通信接続処理を中止するようにする処理である通信切断処理を行い（ステップＳ１２）、この図２に示す処理を終了する。ステップＳ１０の判断処理において、条件を満足すると判断したときには、接続変数は“０（零）”のまま、通信先における着信を維持して、通信先の通信端末のユーザが着信に応答するのを待ち、応答してきた場合、すなわち通信先のユーザがオフフック操作を行った場合に、通信回線が接続され、通話を行うことができるようにしている。
【００６５】
このように、この第１の実施の形態の通信端末１００は、目的とする通信先の通信端末に対して発信して、当該通信先の通信端末から状態情報やその関連情報を取得し、この取得した状態情報やその関連情報と、自機の状態情報やその関連情報とから、通信元である自機と通信先の通信端末とで所定の条件を満足する場合にのみ通信回線を接続して通話を行うことができるようにし、所定の条件を満足しない場合には、通信接続処理を中止して、通信先の通信端末において着信をユーザに知らせるリンガの起動などの呼び出し処理を行うことがないようにしている。
【００６６】
また、上述もしたように、通信先の通信端末の機能として、通信元の通信端末からの状態情報の提供要求を受け付けた場合に、自己の状態情報やその関連情報を取得して、通信元の通信端末１００に対して返信する機能が必要である。しかし、通信端末の制御部は、通常、自機の動作状態を把握し管理しているので、その情報を取得して返信すればよく、新たな回路の追加をする必要もなく、いわゆるソフトウェアの追加あるいは変更で対応することができる。
【００６７】
このような、状態情報やその関連情報の返信機能は、この第１の実施の形態の通信端末１００も備えており、この実施の形態の通信端末を通信元と通信先との双方で用いることによって、いずれが通信元となり、通信先となっても、図２に示した処理を行うことが可能である。
【００６８】
なお、図２を用いて説明した通信接続処理の要求には２つのモードが考えられる。ひとつは明示的に接続先のアドレスを指定するモード、もうひとつは接続先のアドレスのグループを指定するモードである。前者では、ユーザが相手のアドレスを指定して接続しようとする。例えば、相手の聴いている音楽のジャンルが、自分の聴いている音楽のジャンルと同じときなどのように、所定の条件を満足する場合にのみ、相手に繋がる。
【００６９】
後者では、ユーザが相手のアドレスのグループを指定する。例えば友達のアドレスのグループを指定しておくと、グループの先頭のアドレスから順番に接続しようとする。例えば、相手の聴いている音楽のタイトルが、自分の聴いている音楽のタイトルと同じときなどのように、所定の条件を満足する場合にのみ、相手に繋がる。繋がらなければ一定時間後に次のアドレスに接続しようとする。これを相手に繋がるまで繰り返す。
【００７０】
このように、この第１の実施の形態の通信端末１００は、コンテンツデータの再生中であり、その再生中のコンテンツが自機において再生しているコンテンツとの間で所定の条件を満たすもの（合致するもの）であるという通信の相手先の状態を確認して通信を行うようにすることによって、通信の発信元は、活発なコミュニケーションを期待できる相手先との間で通信回線を接続して通信を行うようにすることができる。
【００７１】
また、通信の相手先となる側にとっては、コンテンツデータを再生していない、あるいは、条件に合致しないコンテンツデータを再生しているなどの場合には、通信元のコンテンツデータの再生時においては接続要求がされることは無いので、通信の相手先となる側の通信端末のユーザは、自己の通信端末に対して着信拒否などの設定を一々することなく、不要な自機への接続要求を回避することができる。
【００７２】
［第２の実施の形態］
次に、この発明による通信端末、通信接続方法の第２の実施の形態について説明する。この第２の実施の形態の通信端末２００は、当該通信端末のユーザの心拍、脈拍、発汗、呼吸、脳波、動き、歩行等の生体情報検出機能を持ち、自機と通信の相手先となる１つ以上の通信端末で検出されるその通信端末のユーザの生体情報が、ある条件を満足する場合にのみ接続を行うようにするものである。
【００７３】
すなわち、この第２の実施の形態において、発信側である通信元の通信端末および着信側である通信先の通信端末とも、この第２の実施の形態の通信端末として説明する通信端末２００の構成を有し、ユーザの生体情報を検出する機能を備えたものである。
【００７４】
また、この第２の実施の形態においても、上述した第１の実施の形態の場合と同様に、通信端末２００は、家庭などに設置されて使用される通信機能を備えたパーソナルコンピュータや携帯電話端末や携帯情報通信端末などの種々の機器に適用可能なものである。しかし、説明を簡単にするため、この第２の実施の形態の通信端末２００は、ユーザの生体情報の検出機能を備えた携帯電話端末であるものとして説明する。
【００７５】
図３は、この第２の実施の形態の通信端末２００を説明するためのブロック図である。図３に示すように、この第２の実施の形態の通信端末２００は、大きく分けると、通信系１と、制御部２と、入力部３と、生体情報処理系５とを備えたものである。生体情報処理系５を除く、通信系１、制御部２、入力部３は、図１に示した第１の実施の形態の通信端末１００の対応する部分と同様に構成されたものである。
【００７６】
このため、図３に示すこの第２の実施の形態の通信端末２００においては、図１に示した第１の実施の形態の通信端末１００と同様に構成される部分には同じ参照符号を付し、それらの部分についての重複する説明は省略し、機能等の異なる部分について説明を加えることとする。
【００７７】
生体情報処理系５は、図３に示したように、生体センサ５１と生体情報計算部５２とを備えたものである。生体センサ５１は、この第２の実施の形態の通信端末２００のユーザの目的とする生体データを検出し、これを電気信号に変換して生体情報計算部５２に供給するものである。検出するユーザの生体データとしては、上述もしたように、心拍、脈拍、発汗、呼吸、脳波、動き、歩行、その他、ユーザの身体から得られる種々の情報が上げられる。
【００７８】
そして、生体センサ５１は、上述の種々の生体データの内の少なくとも１つ以上を検出することができるものであり、例えば、帯電位センサ、電流センサ、静電容量センサ、電磁誘導センサ、圧力センサ、加速度センサ、ショックセンサ、方位センサなどの種々のセンサのうち必要なものを用いて構成することができるものである。
【００７９】
生体情報計算部５２は生体センサ５１からのセンサ出力の供給を受けて、これをデジタル信号に変換し、さらに所定の演算などの処理を行うことによって、目的とする生体情報、すなわち、心拍数、脈拍数、発汗の状態、呼吸数、脳波の状態、動きの有無、動きの状態（動きの方向や速度など）、歩行の状態（テンポや速度など）を示す生体情報を計算し、計算の結果得られたユーザの生体情報を制御部２に供給する。
【００８０】
このようにして、制御部２に通知されるこの通信端末２００のユーザの生体情報は、条件判断部１４にも供給される。この第２の実施の形態の通信端末２００の条件判断部１４は、自機（通信元）のユーザの生体情報と通信先の通信端末のユーザの生体情報との条件判断を行う部分であり、双方の生体情報が所定の条件を満たす場合においてのみ通信回線を接続することができるようにしている。
【００８１】
そして、この第２の実施の形態の通信端末２００においては、ユーザが自己の生体情報を生体情報処理系５の機能を用いて計測している場合であって、通信を行うようにした場合に、発信して通信回線を接続するための処理が行うようにされ、通信元のユーザの生体情報と通信先のユーザの生体情報とが所定の条件を満足する場合に、通信回線の接続が維持され通話を行うことができるようにしている。すなわち、上述もしたように、通信元の通信端末も通信先の通信端末も、図３に示したこの第２の実施の形態の通信端末の構成と機能とを有するものであり、ユーザの生体情報を計測しながら通信を行うことができるものである。
【００８２】
このようにすることによって、例えば、複数のユーザが同じようにジョギングしているときや、ジョギングにより同じように心臓が高鳴っているときなどに、生体情報が同様の状態になっているユーザ間に通信回線が接続されることになる。したがって、身体の状態が同じような状態にあるユーザ間においては、身体面、精神面の双方において、同様の状態にある可能性が高く、コミュニケーションの活発化を促進することができるようにされる。
【００８３】
このように、通信端末２００のユーザの生体情報は、ユーザの状態を反映する情報であり、発信元の通信端末のユーザの生体情報と、着信先の通信端末のユーザの生体情報が、同じか、類似の場合には、両ユーザは同じような状態にあると推測でき、通信回線を接続するか否かの判断情報とすることができる。
【００８４】
なお、図３において、二重線で示したアドレス管理部１２、条件判断部１４、生体情報計算部５２のそれぞれの機能は、制御部２において実行されるソフトウェアによって実現することも可能である。
【００８５】
次に、図３に示した第２の実施の形態の通信端末２００において、生体情報の検出が行うようにされている状態にあるときに通信を行うようにした場合の処理について説明する。基本的に、図２に示した通信の接続処理と同様の処理を行うため、図２をも参照しながら説明する。
【００８６】
生体情報処理系５を通じてユーザの生体情報を検出するようにしている場合に、入力部３を通じてユーザから通信を行うようにする要求が受け付けられると、制御部２は通信系１の各部に対して所定の条件に合致した生体情報のユーザの通信端末との間に通信回線を接続するようにする要求を出す。この要求に応じて、通信系１は、図２に示した処理を開始する。
【００８７】
通信部１３は、接続変数に値“０”を設定し（ステップＳ１）、アドレス管理部１２よってアドレスデータベース１１から読み出されたアドレス（この第２の実施の形態においては電話番号）を用いて目的とする通信先の通信端末に発信して、通信回線を接続するようにする通信接続処理を行う（ステップＳ２）。なお、接続変数は、上述もしたように接続結果を表す変数であり、接続成功のときには値“０”、接続失敗のときには値“０”以外となる。
【００８８】
そして、通信部１３は、通信先から返信されてくるステイタス情報等に基づいて、当該通信先に対して正常に着信が成功したか否かを判断する（ステップＳ３）。ステップＳ３の判断処理において、通信先からステイタス情報が返信されてこない、あるいは、通話中のステイタスが返信されてきたなど、正常に呼び出しのための着信が成功していないと判断したときには、通信部１３は、接続変数に接続不成功を示す値“１”を設定し（ステップＳ４）、この図２に示す処理を終了する。
【００８９】
ステップＳ３の判断処理において、通信先に対して正常に着信が成功したと判断したときには、通信部１３は、通信の相手先である当該通信先に対して、当該通信先の通信端末のユーザの生体情報の提供要求を送信し、当該通信先の通信端末の生体情報を取得する（ステップＳ５）。
【００９０】
ここで、生体情報の内容は、生体情報の種別（種類）を示す情報とその生体情報の値とからなるものであり、生体情報が例えば心拍数である場合には、例えば、（心拍数：８６．２）のように表現される。複数の生体情報を検出するようにした場合には、そのそれぞれについての生体情報が形成され、例えば、（生体情報名１：値１、生体情報名２：値２、…）というように、そのそれぞれについての生体情報の種別を示す情報と生体情報の値とが制御部２に供給される。
【００９１】
そして、通信部１３は、通信先からの情報に基づいて、通信先の状態情報（この第２の実施の形態においては生体情報）の取得が成功したか否かを判断する（ステップＳ６）。ステップＳ６の判断処理において、通信先のユーザの生体情報の取得に失敗したと判断したときには、通信部１３は、接続変数に状態情報の取得不成功を示す値“２”を設定し（ステップＳ７）、ステップＳ２で開始した通信回線の接続処理を中止するための通信切断処理を行い（ステップＳ８）、この図２に示す処理を終了する。
【００９２】
ステップＳ６の判断処理において、相手から生体情報の取得が成功したと判断したときは、次に自己のユーザの生体情報の取得を行う（ステップＳ９）。ここでは、生体情報処理系５を通じて検出される生体情報を、制御部２を通じて条件判断部１４が取得することになる。この場合、例えば、（心拍数：６８．５）という状態（生体情報）が取得されたとする。
【００９３】
条件判断部１４は、ステップＳ５で取得した通信先の通信端末のユーザの生体情報と、ステップＳ９で取得した自機のユーザの生体情報とを比較し、所定の条件を満足するか否かを判断する（ステップＳ１０）。この第２の実施の形態においても、所定の条件は、予めユーザがこの通信端末に対して設定するようにしたものであり、例えば、心拍数差、脈拍数差など、比較対象の生体情報に応じた所定の条件が設定されている。
【００９４】
例えば「心拍数差：１０」という条件が設定されているものとすると、上述の例の場合、通信元の生体情報は（心拍数：６８．５）であり、通信先の生体情報は（心拍数：８６．２）であり、条件を満足しないので、接続変数に条件不満足を示す値“３”を設定して（ステップＳ１１）、通信切断処理（ステップＳ１２）を行ってから、この図２に示す処理を終了する。
【００９５】
また、ステップＳ１０の判断処理において、条件を満足したと判断した場合には、接続変数は値“０”のまま、この図２に示す処理を終了し、自機と条件を満たす生体情報を返信してきた通信端末との間の通信回線の接続を維持し、通話をできるようにする。
【００９６】
ここでは、比較対象となる生体情報として心拍数を用いた場合を例にして説明したが、他の生体情報、例えば、発汗の状態、呼吸数、脳波の状態などに応じても、同様に処理することが可能である。また、加速度センサなどを用い、ユーザの歩行動作に応じたデータ（生体データ）を検出し、これを処理することにより、ユーザの歩行のテンポ（リズム）を算出し、この歩行のテンポを比較対象の生体情報として用いて、歩行テンポが同じ相手先との間に通信回線を接続して通話を可能にするなどのことも、上述の場合と同様にして実現することができる。
【００９７】
なお、この第２の実施の形態においても、図２を参照しながら説明した通信接続処理の要求には２つのモードが考えられる。ひとつは明示的に接続先のアドレスを指定するモード、もうひとつは接続先のアドレスのグループを指定するモードである。前者では、ユーザが相手のアドレスを指定して接続しようとする。例えば、相手のジョギングのテンポが、自分のジョギングのテンポとほぼ同じときにのみ、相手に繋がるようにするなどのことが可能となる。
【００９８】
後者では、ユーザが相手のアドレスのグループを指定する。例えば友達のアドレスのグループを指定しておくと、グループの先頭のアドレスから順番に接続しようとする。例えば、相手のジョギングのテンポが、自分のジョギングのテンポとほぼ同じときにのみ、相手に繋がる。繋がらなければ一定時間後に次のアドレスに接続しようとする。これを相手に繋がるまで繰り返す。
【００９９】
また、上述した後者の場合、すなわち、ユーザが相手のアドレスのグループを指定し、そのグループ内で通信の相手先を検索して通信回線を接続する方式の場合には、通信回線の接続先の候補が複数存在する。このため、通信回線の接続後、自機のユーザの生体情報と通信の相手先のユーザの生体情報とが所定の条件を満足しなくなった場合には、接続した当該通信回線を切断し、新たに条件の一致する生体情報のユーザの通信端末との間に通信回線を接続することが可能である。
【０１００】
そこで、グループ内で通信の相手先を検索して通信回線を接続するようにした場合、自機のユーザの生体情報と通信の相手先のユーザの生体情報とが所定の条件を満足しなくなった場合に接続した通信回線を自動切断する処理を実行するようにする。
【０１０１】
図４は、この第２の実施の形態の通信端末において、グループ内で通信の相手先を検索して通信回線を接続するようにした場合に用いる自動通信切断処理を説明するためのフローチャートである。この図４に示す処理は、通信回線接続後、通信回線が接続された状態にある場合において、所定のタイミングで繰り返し実行される。
【０１０２】
この図４に示す自動通信切断処理においては、以下に説明するように、通信回線の状態、主に切断した場合の状態を示す切断変数を用いる。切断変数は、接続されている通信回線の切断処理（通信切断処理）を行う場合には値“０”がセットされ、既に切断されている場合には値“１”がセットされ、接続が維持されている場合には値“２”がセットされるものである。
【０１０３】
そして、図２を用いて説明した通信接続処理により、目的とする通信の相手先の通信端末との間に通信回線を接続した後、通信系１の通信部１３と条件判断部１４とが制御部２の制御に応じて、所定のタイミング毎に図４に示す処理を実行する。通信部１は、生体情報の提供要求を通信先の通信端末に送信し、当該通信先の通信端末を通じてその通信端末のユーザの生体情報を取得し、条件判断部１４に供給するようにする（ステップＳ２１）。
【０１０４】
そして、通信部１は、生体情報が取得できたか否かを判断し（ステップＳ２２）、生体情報が取得できなかったと判断したときには、接続した当該通信回線が切断されていると判断し、切断変数に既に通信回線は切断されていることを示す値“１”をセットして（ステップＳ２３）、この図４に示す処理を終了する。
【０１０５】
ステップＳ２２の判断処理で通信の相手先のユーザの生体情報が取得できたと判断したときには、通信部１は条件判断部１４を制御し、条件判断部１４が制御部２を通じて、自機のユーザの生体情報を取得するようにする（ステップＳ２４）。そして、条件判断部１４は、ステップＳ２４で取得した自機のユーザの生体情報と、ステップＳ２１において取得した通信の相手先のユーザの生体情報とを比較し、予め決められた条件を満足するか否かを判断する（ステップＳ２５）。
【０１０６】
ステップＳ２５の判断処理において、条件を満足していないと判断したときには、通信部１４は、自機のユーザの生体情報と通信の相手先のユーザの生体情報との内の少なくとも一方が変化したために条件を満足しなくなったと判断し、切断変数に通信切断処理を行うことを示す値“０”をセットし（ステップＳ２６）、接続されている通信回線を解放するための通信切断処理を行って（ステップＳ２７）、この図４に示す処理を終了する。
【０１０７】
ステップＳ２５の判断処理において、条件を満足していると判断したときには、通信回線の接続を維持すると判断して、切断変数に通信回線の接続が維持されていることを示す値“２”をセットし（ステップＳ２８）、この図４に示す処理を終了する。
【０１０８】
そして、制御部２は、切断変数が値“０”または値“１”である場合には、図２を用いて説明した通信接続処理を行って、自機のユーザの生体情報に対して、予め決められた条件に合致する生体情報のユーザの通信端末との間に新たに通信回線を接続するようにして、常に、自機のユーザの生体情報に対して、予め決められた条件を満足する生体情報を有する通信先との間で通信を行うようにすることができるようにしている。
【０１０９】
このように、図２を用いて説明した通信接続処理と図４を用いて説明した自動通信切断処理とを行うことにより、相手の状態と自分の状態が条件を満足している間だけ通信の接続を行うようにすることができ、条件が合致する生体情報のユーザの通信端末との間においてのみ通信回線を接続して通信を行うことができるようにされる。
【０１１０】
例えば、ジョギングで普通のテンポで走っているときにはその同じテンポの人と接続され、速いテンポや遅いテンポで走っているときには同様にそれぞれ同じテンポで走っている人に接続されるというように、走る速度に応じて様々な人の通信端末と繋がれるとともに、テンポのあった運動を行っているユーザ間で通信を行うことができるようにされ、コミュニケーションの活発化が期待できる。
【０１１１】
このように、この第２の実施の形態の通信端末２００は、自己のユーザの身体の状態と同じような状態になっているユーザの通信端末との間で通信を可能にすることによって、通信の発信元は、活発なコミュニケーションを期待できる相手先との間で通信回線を接続して通信を行うようにすることができる。主に、ウォーキング、ジョギング、ランニングといった生体情報が変化する運動を行っているような場合に、その運動を行っている相手先との間で通信を行えるようにすることによって、運動の持続性や効率性を高めるなどの効果が期待できる。
【０１１２】
また、通信の相手先となる側にとっては、自己の身体の状態と異なる相手からの接続要求については回避することができるので、自己の通信端末に対して着信拒否などの設定を一々することなく、不要な自機への接続要求を回避することができる。
【０１１３】
［第３の実施の形態］
次に、この発明による通信端末、通信接続方法の第３の実施の形態について説明する。この第３の実施の形態の通信端末３００は、音楽などの音声データ、静止画像データ、動画像データ等のコンテンツデータの再生機能を備えるとともに、当該通信端末のユーザの心拍、発汗、呼吸、脳波、動き、歩行等の生体情報検出機能を持ち、自機と通信の相手先となる１つ以上の通信端末で再生されているコンテンツの状況と、自機と通信の相手先となる１つ以上の通信端末で検出されるその通信端末のユーザの生体情報とが、ともに予め決められる条件を満足する場合にのみ接続を行うようにするものである。
【０１１４】
すなわち、この第３の実施の形態において、発信側である通信元の通信端末および着信側である通信先の通信端末とも、この第３の実施の形態の通信端末として説明する通信端末３００の構成を有し、種々のコンテンツデータの再生機能と、ユーザの生体情報の検出機能とを備えたものである。
【０１１５】
また、この第３の実施の形態においても、上述した第１、第２の実施の形態の場合と同様に、通信端末３００は、家庭などに設置されて使用される通信機能を備えたパーソナルコンピュータや携帯電話端末や携帯情報通信端末などの種々の機器に適用可能なものである。しかし、説明を簡単にするため、この第３の実施の形態の通信端末３００は、コンテンツ再生機能およびユーザの生体情報の検出機能を備えた携帯電話端末であるものとして説明する。
【０１１６】
図５は、この第２の実施の形態の通信端末３００を説明するためのブロック図である。図５に示すように、この第３の実施の形態の通信端末３００は、大きく分けると、通信系１と、制御部２と、入力部３と、コンテンツ再生系４と、生体情報処理系５とを備えたものである。すなわち、図１に示した１の実施の形態の通信端末１００と、図３に示し第２の実施の形態の通信端末２００との両方の機能を併せ持つようにしたものである。
【０１１７】
このため、図５に示した第３の実施の形態の通信端末３００において、図１に示した第１の実施の形態の通信端末１００と同様に構成される部分、および、図３に示した第２の実施の形態の通信端末２００と同様に構成される部分には同じ参照符号を付し、それらの詳細な説明は省略し、機能等の異なる部分について説明を加えることとする。
【０１１８】
そして、この第３の実施の形態の通信端末３００は、通信部１３および条件判断部１４等の機能によって、通信回線を接続して通信を行おうとする通信先の通信端末から、その通信端末の動作状態や動作に関連する関連情報とその通信端末のユーザの生体情報とを取得すると共に、自機の動作状態や動作に関連する関連情報と自機のユーザの生体情報とを取得して、双方の状態情報、その関連情報、生体情報が、予め決められた所定の条件を満足する場合にのみ通信回線を接続することができるようにしている。
【０１１９】
このようにすることによって、同じコンテンツあるいは関連のあるコンテンツを再生している通信端末同士のユーザが、心拍数が所定以上であって、興奮して心臓が高鳴っている状態であると判断できる場合に、通信回線を接続することができるようにされる。したがって、同じコンテンツあるいは関連のあるコンテンツに対して、同じ感情を抱いているユーザ同士が通信を行うことができるようにされ、コミュニケーションの活発化を期待することができる。
【０１２０】
なお、図５において、二重線で示したアドレス管理部１２、条件判断部１４、コンテンツ管理部４２、コンテンツ再生部４３、生体情報計算部５２のそれぞれの機能は、制御部２において実行されるソフトウェアによって実現することも可能である。
【０１２１】
次に、図５に示した第３の実施の形態の通信端末３００において、コンテンツが再生されており、かつ、生体情報の検出が行うようにされている状態にあるときに通信を行うようにした場合の処理について説明する。この第３の実施の形態の通信端末においても、基本的に、図２に示した通信の接続処理と同様の処理を行うため、図２をも参照しながら説明する。
【０１２２】
コンテンツ再生系４を通じてコンテンツデータを再生しており、かつ、生体情報処理系５を通じてユーザの生体情報を検出するようにしている場合に、入力部３を通じてユーザから通信を行うようにする要求が受け付けられると、制御部２は通信系１の各部に対して、所定の条件に合致したコンテンツデータを再生しており、かつ、生体情報が所定の条件に合致するユーザの通信端末との間に通信回線を接続するようにする要求を出す。この要求に応じて、通信系１は、図２に示した処理を開始する。
【０１２３】
まず、通信系１の通信部１３は、接続変数に“０（零）”を設定する（ステップＳ１）。この接続変数は接続結果を表す変数であり、接続成功のときには“０”、接続失敗のときに“０”以外となるものである。そして、制御部２からの要求に応じて、アドレス管理部１２がアドレスデータベース１１から通信先として選択した相手先のアドレス（電話番号）を通信部１３に供給するので、通信部１３は、アドレス管理部１２から与えられた電話番号に対して発信（発呼）して、通信回線を接続するようにする通信接続処理を行う（ステップＳ２）。
【０１２４】
そして、通信部１３は、通信先から返信されてくるステイタス情報等に基づいて、当該通信先に対して正常に着信が成功したか否かを判断する（ステップＳ３）。ステップＳ３の判断処理において、通信先からステイタス情報が返信されてこない、あるいは、通話中のステイタスが返信されてきたなど、正常に呼び出しのための着信が成功していないと判断したときには、通信部１３は、接続変数に着信不成功を示す値“１”を設定し（ステップＳ４）、この図２に示す処理を終了する。
【０１２５】
ステップＳ３の判断処理において、通信先に対して正常に着信が成功したと判断したときには、通信部１３は、当該通信先に対して、当該通信先の通信端末の動作状態などを示す情報（状態情報）やその関連情報、および、生体情報の提供要求を送信し、当該通信先の通信端末の状態情報等を取得する（ステップＳ５）。
【０１２６】
この第３の実施の形態においては、状態情報やその関連情報、生体情報を取得する。すなわち、第１の実施の形態の通信端末１００の場合と同様に、動作状態、再生中のコンテンツの、タイトル、コンテンツタイプ、アーティスト名、ジャンルなどの情報と、第２の実施の形態の通信端末２００の場合と同様に、生体情報の種別を示す情報とその生体情報の値を取得する。具体的に前者の状態情報等の内容は、（状態、タイトル、コンテンツタイプ、コンテンツタイプ別情報）であり、後者の生体情報の内容は、（生体情報名１：値１、生体情報名２：値２、…）と言ったものである。
【０１２７】
例えば、この第３の実施の形態の通信端末のコンテンツ再生系４を通じて現代音楽のアーティスト“XXXXXX” の”YYYYYYYYYY”という曲を再生し、これを聴取していたユーザの心拍数が８６．２であることが生体情報処理系５を通じて検出された場合には、（（再生、YYYYYYYYYY、音楽、XXXXXX、現代音楽）、（心拍数、８６．２））という情報が取得できることになる。
【０１２８】
そして、通信部１３は、通信先からの情報に基づいて、通信先の状態情報やその関連情報および生体情報との取得が成功したか否かを判断する（ステップＳ６）。ステップＳ６の判断処理において、通信先の通信端末の状態情報やその関連情報および生体情報の取得に失敗したと判断したときには、通信部１３は、接続変数に状態情報等の取得不成功を示す値“２”を設定し（ステップＳ７）、ステップＳ２で開始した通信回線の接続処理を中止するための通信切断処理を行い（ステップＳ８）、この図２に示す処理を終了する。
【０１２９】
ステップＳ６の判断処理において、通信先の通信端末の状態情報やその関連情報、おいよび生体情報の取得に成功したと判断したときには、通信部１３は、制御部２を通じて自機の状態情報やその関連情報および生体情報を取得し、これを条件判断部１４に供給する（ステップＳ９）。ここでは、（（再生、BBBBBBBBBB、音楽、AAAAAA、現代音楽）、（心拍数：６８．５））という状態が取得されたとする。
【０１３０】
そして、条件判断部１４は、ステップＳ５で取得した通信先の通信端末の状態情報やその関連情報および生体情報と、ステップＳ９で取得した自機の状態情報やその関連情報および生体情報とを比較し、所定の条件を満足するか否かを判断する（ステップＳ１０）。条件判断部１４で用いる条件は、上述もしたように予め設定することができ、例えば「「ジャンル一致」＆ 「心拍数差：１０」」という条件が設定されていたとする。
【０１３１】
ここで、通信先から取得した情報が、（（再生、YYYYYYYYYY、音楽、XXXXXX、現代音楽）、（心拍数、８６．２））であり、自機の情報が、（（再生、BBBBBBBBBB、音楽、AAAAAA、現代音楽）、（心拍数：６８．５））である場合には、ジャンルは共に“現代音楽”であるので、「ジャンル一致」という条件は満足するが、心拍数差は１７．７であるので、「心拍数差：１０」は満足しない。すなわち、条件全体を満足しない。
【０１３２】
このように、ステップＳ１０の判断処理において、所定の条件を満足しないと判断したときには、通信部１３においては、接続変数に条件不一致を示す値“３”をセットし（ステップＳ１１）、ステップＳ２で開始するようにした通信接続処理を中止するようにする処理である通信切断処理を行い（ステップＳ１２）、この図２に示す処理を終了する。
【０１３３】
ステップＳ１０の判断処理において、条件を満足すると判断したときには、接続変数は“０”のまま、通信先における着信を維持して、通信先の通信端末のユーザが着信に応答するのを待ち、応答してきた場合、すなわち通信先のユーザがオフフック操作を行った場合に、通信回線が接続され、通話を行うことができるようにしている。
【０１３４】
そして、この第３の実施の形態の通信端末３００の場合においても、通信接続処理の要求には２つのモードが考えられる。ひとつは明示的に接続先のアドレスを指定するモード、もうひとつは接続先のアドレスのグループを指定するモードである。
【０１３５】
前者では、ユーザが相手のアドレスを指定して接続しようとする。例えば、相手の聴いている音楽のジャンルが、自分の聴いている音楽のジャンルと同じで心拍数の差が10以内のときにのみ、相手に繋がるようにすることができる。
【０１３６】
後者では、ユーザが相手のアドレスのグループを指定する。例えば友達のアドレスのグループを指定しておくと、グループの先頭のアドレスから順番に接続しようとする。例えば、相手の聴いている音楽のタイトルが、自分の聴いている音楽のタイトルと同じで心拍数の差が１０以内のときにのみ、相手に繋がる。繋がらなければ一定時間後に次のアドレスに接続しようとする。これを相手に繋がるまで繰り返すようにすることにより、通信回線の接続の可能性を高めることができる。
【０１３７】
このように、この第３の実施の形態の通信端末３００は、自機（通信元）と通信先の通信端末との双方において、コンテンツを再生しているか否か、コンテンツを再生している場合にはそれはどのようなものか、またユーザの生体情報はどうかを把握し、そのいずれの情報についても所定の条件を満たす場合にのみ、通信回線を接続し、通信を行うようにすることができる。
【０１３８】
そして、この場合、より詳細な条件を用いることができるようにされるので、コミュニケーションをスムーズに開始することができると共に、より活発で有効なコミュニケーションを実現する可能性の高い通信先との間で通信回線を接続して通信を行うことができるようにされる。
【０１３９】
また、通信先の候補となる通信端末においては、一々着信拒否の設定を行わなくても、状態情報やその関連情報および生体情報が所定の条件に合致しない限り接続されることは無いので、自機への不要な着信を防止することもできる。
【０１４０】
［第４の実施の形態］
上述した第１〜第３の実施の形態においては、通信端末間において情報の送受を行って、所定の条件に合致する場合にのみ通信回線を接続させるようにした。しかし、条件判断処理を各通信端末の条件判断部１４において行うようにするのではなく、外部に設けられたサーバ装置に行わせるようにすることも可能である。
【０１４１】
この第４の実施の形態は、この発明のシステム、装置、方法の一実施の形態が適用されたものである。そして、この実施の形態のシステムを構成する通信端末は、図１、図３、図５に示した第１〜第３の実施の形態の通信端末と同様に、コンテンツ再生系４、生体情報処理系５を備えるものである。しかし、この実施の形態のシステムを構成する通信端末は、第１〜第３の実施の形態の通信端末においては、通信系１に設けられていた条件判断部１４については設けられている必要はないものである。
【０１４２】
そして、図１、図３、図５に示した第１〜第３の実施の形態の通信端末の通信系１に設けられていた条件判断部１４については、この実施の形態の通信端末がアクセス可能なサーバ装置の機能として設けられるようにされている。このように構成することによって、この第４の実施の形態のシステムを構成する通信端末は、自機において検出するようにした状態情報やその関連情報、生体情報等の情報を当該サーバ装置に送信し、サーバ装置が通信の相手先として予め登録された通信端末との間を仲介するようにして、予め設定された条件を満たす通信先の通信端末との間で通信が可能となるようにするものである。
【０１４３】
図６は、この第４の実施の形態のシステム、方法を説明するための図である。この実施の形態においても、通信端末は、家庭などに設置されて使用される通信機能を備えたパーソナルコンピュータや携帯電話端末や携帯情報通信端末などの種々の機器に適用可能なものである。しかし、説明を簡単にするため、この第４の実施の形態においても通信端末は、携帯電話端末であるものとして説明する。
【０１４４】
図６に示すように、この第４の実施の形態のシステムは、参照符号１００（１）、…、２００（１）、…、３００（１）、…等によって示される通信端末と、接続管理サーバ７００とが、電話通信網などの公衆通信網５００とインターネット６００とを介して接続する事ができるようにされたものである。
【０１４５】
通信端末１００（１）、…、２００（１）、…、３００（１）、…のそれぞれは、図１、図３、図５に示した第１〜第３の実施の形態の通信端末１００、２００、３００とほぼ同様に構成されるものである。しかし、上述もしたように、通信端末１００（１）、２００（１）、３００（１）、…のそれぞれは、通信系１には、条件判断部１４を備えない点で上述した第１〜第３の実施の形態の通信端末とは異なるものである。このように構成することによって、第１〜第３の実施の形態においては、各通信端末の通信系１の条件判断部１４において行っていた条件判断処理を、この第４の実施の形態のシステムにおいては接続管理サーバ７００において行うようにしている。
【０１４６】
なお、上述のように、この第４の実施の形態の通信端末１００（１）、…、２００（１）、…、３００（１）、…のそれぞれは、通信系１に条件判断部１４を備えない点を除き、図１、図３、図４に示した通信端末の内の対応する通信端末と同様に構成されるものであるので、以下においては、必要に応じて、図１、図３、図５をも参照して説明することとする。
【０１４７】
この第４の実施の形態において、通信端末１００（１）、１００（２）、…のそれぞれは、図１に示した第１の実施の形態の通信端末１００に対応するものであり、自機のコンテンツ再生系４を通じてコンテンツデータを再生して利用している場合に、入力部３を通じてユーザが、適切な通信先を検索して接続することを要求する操作を行うと、制御部２は、自機の識別情報、接続の条件情報、コンテンツ再生系４が再生しているコンテンツデータについての情報、すなわち、再生中のコンテンツの、タイトル、コンテンツタイプ、アーティスト名、ジャンルなどの情報を含む接続要求を形成し、これを公衆通信網５００を介して接続されるインターネット６００を通じて接続管理サーバ７００に送信する。
【０１４８】
ここで、自機に識別情報は、接続要求を送信してきた通信端末を一意に特定可能な情報であり、例えば、電話番号や予め付与された会員番号などの情報である。また、接続の条件情報は、タイトル一致、アーティスト一致、ジャンル一致などの通信回線を接続するか否かの判断を行うための所定の条件を示すものである。
【０１４９】
接続管理サーバ７００は、詳しくは後述もするが、会員データベースを備え、接続要求を送信してきた通信端末が、会員データベースに登録された会員のものであるか否かの認証を取り、認証が取れた場合には、通信先として通信回線の接続可能な会員についての情報が登録された接続先データベースを参照して、接続先の候補を抽出し、その抽出した接続先の候補からコンテンツデータを再生しているか否か、再生している場合には、再生中のコンテンツの、タイトル、コンテンツタイプ、アーティスト名、ジャンルなどの情報を取得する。
【０１５０】
そして、接続要求を送信してきた通信端末からの再生中のコンテンツデータについての情報と、接続先の候補として抽出した通信端末から取得したコンテンツデータについての情報とを比較し、タイトル一致、アーティスト一致、ジャンル一致などの接続の条件情報によって予め決められるようにされる条件に一致する場合には、接続管理サーバ７００は、自機が仲介して、接続要求を送信してきた通信端末（接続元の通信端末）と、接続先として特定した通信端末（接続先の通信端末）との間に通信回線を接続するように仲介し、両通信端末が接続管理サーバ７００を介して通信回線を接続し、通信を行うことができるようにする。
【０１５１】
また、この第４の実施の形態において、通信端末２００（１）、２００（２）、…のそれぞれは、自機のユーザの生体情報を検出するようにしている場合に、入力部３を通じてユーザが、適切な通信先を検索して接続することを要求する操作を行うと、制御部２は、自機の識別情報、接続の条件情報、自機のユーザの検出した生体情報を含む接続要求を形成し、公衆通信網５００を介して接続されるインターネット６００を通じて接続管理サーバ７００に送信する。
【０１５２】
ここで、自機の識別情報は、上述もしたように、接続要求を送信してきた通信端末を一意に特定可能な情報であり、例えば、電話番号や予め付与された会員番号などの情報である。また、接続の条件情報は、心拍数差が１０、脈拍数差が１０等の通信回線を接続するか否かの判断を行うための所定の条件を示すものである。また、生体情報は、上述した第２の実施の形態において説明したように、（生体情報名：生体情報値１）などのように、生体情報とその値とが識別可能なものであり、具体的には、（心拍数：８６．２）等の情報である。
【０１５３】
接続管理サーバ７００は、上述もしたように、会員データベースを備え、接続要求を送信してきた通信端末が、会員データベースに登録された会員のものであるか否かの認証を取り、認証が取れた場合には、通信先として通信回線の接続可能な会員についての情報が登録された接続先データベースを参照して、接続先の候補を抽出し、その抽出した接続先からユーザの生体情報を取得する。
【０１５４】
そして、接続要求を送信してきた通信端末のユーザの生体情報と、接続先の候補として抽出した通信端末から取得したその通信端末のユーザの生体情報とを比較し、心拍数差、脈拍数差などの接続要求に含まれる接続の条件情報に合致する場合には、接続管理サーバ７００は、自機が仲介して、接続要求を送信してきた通信端末（接続元の通信端末）と、接続先として特定した通信端末（通信先の通信端末）との間に通信回線を接続するように仲介し、両通信端末が接続管理サーバ７００を介して通信回線を接続し、通信を行うことができるようにする。
【０１５５】
また、この第４の実施の形態において、通信端末３００（１）、３００（２）、…のそれぞれは、自機のコンテンツ再生系４がコンテンツデータを再生しており、かつ、自機のユーザの生体情報を検出するようにしている場合に、入力部３を通じてユーザが、適切な通信先を検索して接続することを要求する操作を行うと、制御部２は、自機の識別情報、接続の条件情報、コンテンツ再生系４が再生しているコンテンツデータについての情報、自機のユーザの検出した生体情報、などを含む接続要求を形成し、公衆通信網５００を介して接続されるインターネット６００を通じて接続管理サーバ７００に送信する。
【０１５６】
なお、コンテンツ再生系４が再生しているコンテンツデータについての情報は、再生中のコンテンツの、タイトル、コンテンツタイプ、アーティスト名、ジャンルなどの情報であり、また、自機のユーザの検出した生体情報は、（生体情報名：生体情報値１）などのように、生体情報とその値とが識別可能なものであり、具体的には、（心拍数：８６．２）等の情報である。
【０１５７】
また、自機の識別情報は、上述もしたように、接続要求を送信してきた通信端末を一意に特定可能な情報である。また、接続の条件情報は、例えば、例えば「「ジャンル一致」＆ 「心拍数差：１０」」などのように、再生されているコンテンツについての条件と、生体情報についての条件とからなるものである。したがって、再生されているコンテンツについての条件と生体情報についての条件との双方を同時に満足する場合に条件が満たされたことになる。
【０１５８】
接続管理サーバ７００は、上述もしたように、会員データベースを備え、接続要求を送信してきた通信端末が、会員データベースに登録された会員のものであるか否かの認証を取り、認証が取れた場合には、通信先として通信回線の接続可能な会員についての情報が登録された接続先データベースを参照して、接続先の候補を抽出し、その抽出した接続先の候補から、コンテンツデータを再生しているか否か、再生している場合には、再生中のコンテンツの、タイトル、コンテンツタイプ、アーティスト名、ジャンルなどの情報、および、その通信端末のユーザの生体情報を取得する。
【０１５９】
そして、接続要求を送信してきた通信端末のコンテンツデータについての情報、および、生体情報と、接続先の候補として抽出した通信端末から取得した、コンテンツデータについての情報、および、その通信端末のユーザの生体情報とを比較し、接続の条件情報に合致する場合には、接続管理サーバ７００は、自機が仲介して、接続要求を送信してきた通信端末（接続元の通信端末）と、接続先として特定した通信端末（通信先の通信端末）との間に通信回線を接続するように仲介し、両通信端末が接続管理サーバ７００を介して通信回線を接続し、通信を行うことができるようにする。
【０１６０】
このように、この第４の実施の形態においては、接続の情報情報に基づいて接続先の通信端末の検索処理を行い、条件が一致する場合に通信回線を接続する処理を接続管理サーバ７００が行うようにしている。このようにすることによって、通信端末の負荷を軽減することができるようにされる。
【０１６１】
図７は、この第４の実施の形態の接続管理サーバ７００を説明するためのブロック図である。図７に示すように、この第４の実施の形態のシステムを構成する接続管理サーバ７００は、制御部７０１、通信部７０２、会員データベース７０３、認証部７０４、接続先データベース７０５、登録検索部７０６を備えたものである。
【０１６２】
制御部７０１は、この第４の実施の形態のサーバ装置７００の各部を制御するものであり、図示しないが、ＣＰＵ、ＲＯＭ、ＲＡＭ、ＥＥＰＲＯＭなどを備えたマイクロコンピュータの構成とされたものである。通信部７０２は、インターネット６００への接続を実現し、インターネット６００を通じて送信されてきた情報の受信と、自機からのインターネット６００への送出とを行うことができるものである。
【０１６３】
会員データベース７０３は、上述もしたように、この接続管理サーバ７００の機能が利用可能な会員の識別情報を記憶保持するものである。この会員データベース７０３には、通信端末のユーザが、インターネット６００を通じて会員となることの手続を行うことによって、当該通信端末の識別情報、当該通信端末のユーザの氏名、住所、電話番号などの情報が会員データベース７０３に登録されることになる。
【０１６４】
認証部７０３は、通信部７０２を通じて通信端末からの接続要求を受信した場合に、その接続要求に含まれる通信端末の識別情報に基づいて会員データベース７０３の蓄積情報を参照し、会員データベース７０３に登録された正規の会員の通信端末からの接続要求か否かを確認して、正規の会員からの接続要求であると確認が取れた場合（認証が取れた場合）に、これを制御部７０１に通知する。これにより、制御部７０１は、認証が取れた会員の通信端末からの接続要求に対してのみ応答することができるようにされる。
【０１６５】
接続先データベース７０５は、会員の通信端末からの接続要求に応じて、当該会員の通信端末との間で通信回線を接続する通信先の候補となる通信端末についての情報が蓄積されたものである。例えば、会員となったユーザが、自己の友人や知人など、予め通信の相手先の候補となる通信端末についての情報を接続先データベース７０５に登録（蓄積）することができるようにされる。この場合には、接続先データベース７０５に登録された情報は、その会員のみしか利用できない。
【０１６６】
また、接続先データベース７０５には、接続管理サーバ装置７００の運営者が、接続先の候補となる通信端末のユーザを予め募っておき、その接続先の候補となる通信端末についての情報を蓄積することもできるようにされる。この場合の接続先の候補となる通信端末のユーザは、発信元の通信端末のユーザとは基本的に無関係であり、コンテンツの嗜好や共通の話題などが合う可能性の高い会員であるユーザ同士の通信端末間を接続することが可能になる。
【０１６７】
そして、上述もしたように、会員が自己の通信端末を用いて、コンテンツデータを再生して利用している場合、あるいは、自己の生体情報を計測している場合、あるいは、コンテンツデータを再生して利用しながら自己の生体情報を計測している場合に、他の通信端末との間で通信を行うようにすると、通信端末は、自己の識別情報、接続の条件情報、コンテンツに関する情報と生体情報との一方あるいは両方を含む接続要求を形成して接続管理サーバ装置７００に送信してくる。
【０１６８】
管理サーバ７００の通信部７０２は、通信端末からの接続要求を通信部７０２の機能により受信、復調し、各情報を分離して、識別情報を認証部７０４に供給する。認証部７０４は、通信部７０２からの通信端末の識別情報に基づいて、会員データベースを参照し、接続要求を送信してきた通信端末のユーザは、会員か否かを確認し、会員であることの認証が取れたか否かを制御部７０１に通知する。
【０１６９】
制御部７０１は、認証部７０４からの通知が、認証が取れないことを通知するものであるときには、通信部７０２を制御して、接続要求には答えられない旨のメッセージを要求元に送信するようにする。制御部７０１は、認証部７０４からの通知が、認証が取れたことを通知するものであるときには、通信部７０２を制御して、会員か否かを識別するための識別情報、接続の条件情報、コンテンツに関する情報や生体情報等を登録検索部７０６に供給するようにする。
【０１７０】
登録検索部７０６は、制御部７０１の制御に応じて、接続先データベース７０５に蓄積された情報を参照し、接続先の候補の通信端末の情報を抽出し、通信部７０２を通じて、その接続先の候補の通信端末に対して現在の状態を示す情報を提供することを要求する提供要求を送信する。この提供要求に応じて、通信先の候補の通信端末から現在の状態、すなわち、コンテンツデータを再生しているか否か、コンテンツデータを再生している場合には、そのコンテンツについての情報、計測している生体情報の名前や計測した値などの情報の返信を受けるようにする。
【０１７１】
通信先の候補とされた通信端末からの返信情報は、通信部７０２を通じて受信され、登録検索部７０６に供給され、既に提供されている通信元の通信端末からの情報と比較するなどして、接続の条件を満たすか否かを判定し、この判定結果を制御部７０１に通知する。登録検索部７０６からの判定結果が、接続の条件をみさしていることを示している場合には、制御部７０１は、通信部７０２を制御して、通信元の通信端末と通信先の通信端末との間に通信回線を接続し、通話をできるようにする。
【０１７２】
登録検索部７０６からの判定結果が、接続の条件を満たさないことを示す場合には、登制御部７０１は登録検索部７０６を制御し、次の接続先の候補を接続先データベース７０５から抽出して、現在の状態を示す情報の提供を要求する提供要求を送信するというように、通信の相手先を検索する処理を繰り返すことになる。
【０１７３】
なお、ここでは、接続先データベース７０５の情報を元にして、通信の相手先の候補の通信端末にアクセスして、現在の状況を示す情報の提供を要求するものとして説明したが、これに限るものではない。例えば、通信先の候補となる通信端末においては、まだ通信先とはなっておらず、コンテンツ再生系４によりコンテンツデータが再生されている場合、あるいは、生体情報処理系５により生体情報が計測されている場合には、所定のタイミングで自己の状態を接続管理サーバ装置７００に送信する。
【０１７４】
この情報を接続管理サーバ装置７００の通信部７０２を通じて受信し、登録検索部７０６を通じて接続先データベース７０５に蓄積する。これにより、通信の候補となる通信端末の状態は、接続管理サーバ装置７００の接続先データベース７０５に蓄積される。これにより、接続先の候補となる通信端末であって、空いている通信端末の状態を接続管理サーバ装置７００で管理することができる。
【０１７５】
したがって、上述したように、接続サーバ装置７００が一々接続先の候補の通信端末に対して動作の状況の動作報告を行わせること無く、登録検索部７０６の機能により接続先データベース７０５の情報に基づいて、通信先となる通信端末を迅速に特定し、通信元の通信端末と、接続の条件に合致する通信先の通信端末との間に通信回線を接続し、通話を行うことができるようされる。
【０１７６】
このように、接続管理サーバ装置７００を介在させることにより、通信端末における負荷を軽減し、接続の条件に合致する通信先の通信端末を特定して、接続の条件に合致する通信先の通信端末との間に通信回線を接続することができるようにされる。
【０１７７】
なお、ここでは、接続管理サーバ装置７００は、インターネット６００上に設けられるものとして説明したが、これに限るものではない。例えば、電話回線網上にサーバ装置を設けるようにしてももちろんよい。
【０１７８】
第１〜第４の実施の形態において説明したように、ユーザの状態を自動的に取得することと、通信接続時に、相互のユーザの状態が条件を満足しなければ接続できないようにすることで、通信元と通信先のユーザの状態に応じて通信回線を接続するか否かを決定することができるので、その後のユーザ間のコミュニケーションがより活発化することが期待できる。
【０１７９】
また、上述したように、接続して欲しくないときに接続しないようにする消極的な用途にも用いることができる。すなわち、接続するとコミュニケーションが活発になるようなお互いの状態にあるときに自動的に接続するようにする積極的な用途と、接続して欲しくないときに接続しないようにする消極的な用途との両方に用いることが可能である。
【０１８０】
［その他］
上述した第１〜第４の実施の形態においては、ユーザの状態を反映する情報として、通信元となる自機と、通信先となる相手の通信端末とにおける、（１）コンテンツデータの再生状態、（２）生体情報の状態、（３）コンテンツの再生状態と生体情報の状態とを用いるようにし、これらが所定の条件を満足する場合に通信回線を接続し、通信を行えるようにした。しかし、これに限るものではない。
【０１８１】
ユーザの状態を反映する情報としては、例えば、通信元となる自機と、通信先となる相手の通信端末とにおける環境状態、移動状態、位置状態など、通信元となる自機のユーザの状態と、通信先となる通信端末のユーザの状態を推測することが可能な種々の情報を検出し、この検出した情報をユーザの状態を反映する情報とし用いて、通信回線を接続するか否かの条件を設定することができる。
【０１８２】
ここで、環境状態は、その通信端末が置かれた周囲の環境の状態であり、例えば、気温、明るさ、湿度、騒音、風速などの種々の状態が含まれる。例えば、通信元と通信先との双方の通信端末が、周囲の気温の測定が可能な温度センサを備えている場合には、周囲の気温の同じ通信端末間に通信回線を接続することができる。これにより、例えば、冬場において、一方が暖房の効いた屋内にあり、他方が気温の低い屋外にある場合、あるいは、夏場において、一方が冷房の聞いた屋内にあり、他方が気温の高い屋外にある場合などにおいては、通信回線を接続しないようにすることができ、双方の通信端末が置かれた環境が同じか同程度の気温の状態にあるときにのみ、通信回線を接続することができるようにされる。
【０１８３】
また、通信元と通信先との双方の通信端末が、周囲の明るさの測定が可能な明度（明るさ）センサを備えている場合には、双方の通信端末が置かれた環境が同じか同程度の明るさの状態にあるときにのみ通信回線を接続することができる。したがって、通信元の通信端末のユーザが明るい場所におり、通信先の通信端末のユーザが就寝しており部屋を暗くしているような場合には通信回線を接続することがないようにすることができる。
【０１８４】
また、通信元と通信先との双方の通信端末が、周囲の湿度の測定が可能な湿度センサを備えている場合には、双方の通信端末が置かれた環境が同じか同程度の湿度の状態にあるときにのみ通信回線を接続することができる。したがって、一方が湿度の比較的に低い部屋におり、他方が湿度の比較的に高いプールサイドにいる場合などにおいては通信回線を接続することがないようにすることができる。
【０１８５】
また、通信元と通信先との双方の通信端末が、周囲の騒音の測定が可能な騒音センサを備えている場合には、双方の通信端末が置かれた環境が同じか同程度の騒音の状態にあるときにのみ通信回線を接続することができる。したがって、一方が静かな場所にあり、他方が騒音の高い場所にあるときには、通信回線を接続することがないようにすることができる。
【０１８６】
また、通信元と通信先との双方の通信端末が、周囲の風速の測定が可能な風速センサを備えている場合には、双方の通信端末が置かれた環境が同じか同程度の風速の状態にあるときにのみ通信回線を接続することができる。したがって、一方が風のない屋内にあり、他方が風の強い屋外にあるときには、通信回線を接続することがないようにすることができる。
【０１８７】
また、通信元と通信先との双方の通信端末が、現在時刻の提供が可能な時計回路を備えている場合には、双方の通信端末が置かれた場所の現在時刻が同じかほぼ同じ場合にのみ通信回線を接続することができる。これにより、例えば、通信元と通信先とのそれぞれが、現在時刻の異なる地域にある場合において、双方の通信端末間の時間差が所定の時間差以内である場合には通信回線を接続できるようにするが、それ以上の時間差の場合には通信回線を接続しないようにすることができる。
【０１８８】
また、この場合、通信先の通信端末の時計回路が示し現在時刻が、深夜や早朝などの通信に適さない時間帯にある場合にのみ、通信回線を接続しないようにすることも可能である。このように、双方の通信端末の状態を示す情報（状態を推測できる情報）を用いることなく、通信先の状態を示す情報のみについて所定の条件を設定し、通信回線を接続するか否かを判断するようにすることも可能である。
【０１８９】
このように、通信元の通信端末と通信先の通信端末とがおかれた環境が同じか同程度である場合には、それらの通信端末のユーザのおかれた環境も同程度であることが推測でき、通話の場合には通話などの通信を阻害ずる要因も少なく、また、双方のユーザのおかれた環境も予め推測することができるので、通話などの通信の活発化を期待することができる。
【０１９０】
また、移動状態は、通信端末が移動しているか否かや、通信端末の移動速度などの状態である。これらの状態は、例えば、加速度センサ、角速度センサなどを備えることにより検出することが可能である。そして、通信元の通信端末と通信先の通信端末とが共に静止している場合、あるいは、共に同じ速度、あるいは、双方の速度の差が予め決められた範囲内にある場合には、当該通信端末間において通信回線を接続することができるようにされる。
【０１９１】
このようにすることによって、例えば、双方が共に静止している場合や、同程度の速度で移動している場合などにおいて通信を接続することができ、一方は静止しているが他方が移動している場合、あるいは、共に移動しているが、一方は歩行程度の速度で、他方が自動車で移動しているような速度である場合には、それぞれ状況はことなっているので、通信回線の接続を行うことがないようにすることができる。
【０１９２】
なお、この場合、例えば、自動車、バイク、電車などによって移動しているような速度の場合には、安全性や周囲への迷惑などのことを考慮し、例え双方の移動速度の差が所定範囲内であっても、接続しないようにすることもできる。すなわち、比較対象とする移動速度の上限をも接続のための条件とすることができる。
【０１９３】
また、位置状態は、通信元の通信端末の位置と通信先の通信端末の位置に関する情報であり、通信元と通信先の通信端末の現在位置、標高などの情報である。これらの情報は、例えば、ＧＰＳ（Global Positioning System）などの測位システムと地図情報とに基づいて把握することが可能である。近年、ＧＰＳシステムも小型化が進み、携帯型の通信端末にも搭載可能である。また、携帯電話通信網における１つ以上の基地局からの電波の受信状況とそれらの基地局の位置に基づいて通信端末の現在位置を把握することも可能である。
【０１９４】
そして、通信元の通信端末と通信先の通信端末とが共に所定の範囲内に位置する場合、例えば、野球場、サッカー場、遊園地などに双方の通信端末が位置する場合に通信回線を接続するようにしたり、通信元の通信端末と通信先の通信端末との間の距離が予め決められた距離以下である場合には通信回線を接続し、そうでない場合には通信回線を接続しないようにしたりするなどのことができるようにされる。
【０１９５】
また、双方の通信端末とも同程度の標高にあるときには通信回線の接続を可能にするが、双方の標高差が所定の範囲に納まらない場合には、通信回線を接続しないようにすることができる。したがって、一方の通信端末は標高の比較的に低い都市部で用いられ、他方の通信端末は標高の比較的に高い山間部で用いられているといった場合には、利用環境の状態が大きく異なっていることが推測できるので、当該通信端末間には通信回線を接続しないようにすることができる。
【０１９６】
このように、通信元と通信先との環境状態、移動状態、位置状態などについて、接続の条件を設定することにより、その設定した条件を満たした場合にのみ通信回線を接続して通信を行うようにすることができる。すなわち、接続の条件が合致した場合には、接続元の通信端末のユーザと接続先の通信端末のユーザとが同じ状態にあると推測することができるので、通信回線を接続した場合であっても、通話などの通信をスムーズに行うことができ、通信の活発化を期待することができる。
【０１９７】
なお、上述した実施の形態においては、通信端末同士が１対１で通信を行う場合を例にして説明したが、これに限るものではない。１つの発信元の通信端末と、複数の通信先の通信端末との間に同時に通信回線を接続して通信を行うようにすることが可能である。この場合には、例えば、接続管理サーバ装置などの仲介装置を介在させることにより、１つの通信元の通信端末と複数の通信先の通信端末との間、および、複数の通信先の通信端末との間にも通信回線を接続して通信を行うようにすることができる。
【０１９８】
また、上述の実施の形態においては、通信端末間においては音声信号を送受する通話を行うものとして説明した。しかし、これに限るものではない。文字情報や画像情報などを送受するようにするデータ通信であってもよいし、通話とデータ通信との両方を行うようにすることも可能である。
【０１９９】
また、上述の実施の形態の通信端末は、例えば、携帯電話端末などの通話を行うためのものである場合を例にして説明したが、これに限るものではない。例えば、通信機能を備えたパーソナルコンピュータや通信機能を備えたＰＤＡ（Personal Digital Assistant）などの情報処理装置等、通信機能を備えた種々の電子機器にこの発明を適用することができる。もちろん、通信端末は携帯型でもよいし、据え置き型でもよい。
【図面の簡単な説明】
【０２００】
【図１】この発明による通信端末の一実施の形態を説明するためのブロック図である。
【図２】図１に示した通信端末の動作の一例を説明するためのフローチャートである。
【図３】この発明による通信端末の他の実施の形態を説明するためのブロック図である。
【図４】図３に示した通信端末で実行される接続した通信回線の切断処理の一例を説明するためのフローチャートである。
【図５】この発明による通信端末の他の実施の形態を説明するためのブロック図である。
【図６】この発明によるシステムの一実施の形態を説明するための図である。
【図７】図６に示したシステムに用いられる接続管理サーバ装置の構成例を説明するためのブロック図である。
【符号の説明】
【０２０１】
１…通信系、１１…アドレスデータベース、１２…アドレス管理部、１３…通信部、１４…条件判断部、２…制御部、３…入力部、４…コンテンツ再生系、４１…コンテンツデータベース、４２…コンテンツ管理部、４３…コンテンツ再生部、４４…表示部、４５…放音部、５…生体情報処理部、５１…生体センサ、５２…生体情報計算部、１００、２００、３００…通信端末、５００…公衆通信網、６００…インターネット、７００…接続管理サーバ装置、７０１…制御部、７０２…通信部、７０３…会員データベース、７０４…認証部、７０５…接続先データベース、７０６…登録検索部
【図１】
2006279218.tif 000003
【図２】
2006279218.tif 000004
【図３】
2006279218.tif 000005
【図４】
2006279218.tif 000006
【図５】
2006279218.tif 000007
【図６】
2006279218.tif 000008
【図７】
2006279218.tif 000009
【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
目的とする相手先通信端末との間で通信を行うようにするための通信手段と、
自機のユーザの状態を反映する情報を検出する検出手段と、
前記通信手段を通じて送信されてくる前記目的とする相手先通信端末のユーザの状態を反映する情報と、前記検出手段によって検出される情報とを比較し、予め決められた条件を満足するか否かを判断する条件判断手段と、
前記条件判断手段において、条件を満足していると判断された場合に、前記通信手段を通じて、前記相手先通信端末との間に通信回線を接続するように制御する制御手段と
を備えることを特徴とする通信端末。
【請求項２】
請求項１に記載の通信端末であって、
ユーザからの指示入力を受け付ける受付手段と、
前記受付手段を通じて、通信を行うことの指示入力を受け付けた場合に、前記相手先通信端末のユーザの状態を反映する情報の提供要求を形成して、これを前記通信手段を通じて前記相手先通信端末に送信するようにする要求形成手段と、
を備え、
前記条件判断手段は、前記通信手段を通じて受け付けられる前記提供要求に応じて送信されてくる前記相手先通信端末からの情報と、前記検出手段によって検出される情報とを比較する
ことを特徴とする通信端末。
【請求項３】
請求項１に記載の通信端末であって、
コンテンツデータの再生手段を備え、
前記検出手段は、前記再生手段で再生されているコンテンツデータに関連する情報を検出するものであり、
前記相手先通信端末のユーザの状態を反映する情報は、相手先通信端末で再生するようにされているコンテンツデータに関連する情報であることを特徴とする通信端末。
【請求項４】
請求項１に記載の通信端末であって、
前記検出手段は、ユーザの生体情報を検出するものであり、
前記相手先通信端末のユーザの状態を反映する情報は、相手先通信端末のユーザの生体情報であることを特徴とする通信端末。
【請求項５】
請求項１に記載の通信端末であって、
コンテンツデータの再生手段を備え、
前記検出手段は、
前記再生手段で再生されているコンテンツデータに関連する情報を検出する手段と、ユーザの生体情報を検出する手段とからなり、
前記相手先通信端末のユーザの状態を反映する情報は、相手先通信端末で再生するようにされているコンテンツデータに関連する情報と、相手先通信端末のユーザの生体情報とであることを特徴とする通信端末。
【請求項６】
自機のユーザの状態を反映する情報を検出する検出ステップと、
目的とする相手先通信端末から送信されてくる前記目的とする相手先通信端末のユーザの状態を反映する情報と、前記検出ステップにおいて検出した情報とを比較し、予め決められた条件を満足するか否かを判断する条件判断ステップと、
前記条件判断ステップにおいて、条件を満足していると判断した場合に、前記相手先通信端末との間に通信回線を接続するように制御する制御ステップと
を有することを特徴とする通信接続方法。
【請求項７】
発信元の通信端末と着信先の通信端末とが、サーバ装置と所定のネットワークを通じて接続されて形成される通信システムであって、
前記発信元の通信端末は、
ユーザの状態を反映する発信元状態情報を検出する検出手段と、
ユーザからの指示入力を受け付ける受付手段と、
前記受付手段を通じて、通信を行うことの指示入力を受け付けた場合に、通信回線の接続要求と、前記検出手段により検出した発信元状態情報とを、前記サーバ装置に送信するようにする送信情報形成手段と
を備え、
前記サーバ装置は、
前記発信元の通信端末からの前記接続要求と、前記発信元状態情報とを受け付ける情報受付手段と、
前記情報受付手段を通じて受け付けた前記接続要求に基づいて、目的とする着信先の通信端末に対して、当該着信先の通信端末のユーザの状況を反映する着信先状態情報の提供を要求する提供要求を形成し、これを前記着信先の通信端末に送信するようにする要求形成手段と、
前記提供要求に応じて送信されてくる前記着信先からの着信先状態情報と、前記発信元からの前記発信元状態情報とを比較し、予め決められた条件を満足するか否かを判断する条件判断手段と、
前記条件判断手段において、条件を満足していると判断された場合に、前記発信元の通信端末と、前記着信元の通信端末との間に通信回線を接続するようにする接続制御手段と、
を備え、
前記着信先の通信端末は、
ユーザの状態を反映する着信先状態情報を検出する検出手段と、
前記サーバ装置からの提供要求を受け付ける要求受付手段と、
前記要求受付手段を通じて、前記サーバ装置からの前記提供要求を受け付けた場合に、前記検出手段によって検出した前記着信先状態情報を前記サーバ装置に送信するようにする情報返信手段と
を備えることを特徴とする通信システム。
【請求項８】
発信元の通信端末と着信先の通信端末とが、サーバ装置と所定のネットワークを通じて接続されて形成される通信システムの前記発信元の通信端末であって、
ユーザの状態を反映する発信元状態情報を検出する検出手段と、
ユーザからの指示入力を受け付ける受付手段と、
前記受付手段を通じて、通信を行うことの指示入力を受け付けた場合に、通信回線の接続要求と、前記検出手段により検出した発信元状態情報とを、前記サーバ装置に送信するようにする送信情報形成手段と
を備えることを特徴とする通信端末。
【請求項９】
発信元の通信端末と着信先の通信端末とが、サーバ装置と所定のネットワークを通じて接続されて形成される通信システムの前記サーバ装置であって、
前記発信元の通信端末からの前記接続要求と、前記発信元の通信端末のユーザの状態を反映する発信元状態情報とを受け付ける情報受付手段と、
前記情報受付手段を通じて受け付けた前記接続要求に基づいて、目的とする着信先の通信端末に対して、当該着信先の通信端末のユーザの状況を反映する着信先状態情報の提供を要求する提供要求を形成し、これを前記着信先の通信端末に送信するようにする要求形成手段と、
前記提供要求に応じて送信されてくる前記着信先からの着信先状態情報と、前記発信元からの前記発信元状態情報とを比較し、予め決められた条件を満足するか否かを判断する条件判断手段と、
前記条件判断手段において、条件を満足していると判断された場合に、前記発信元の通信端末と、前記着信元の通信端末との間に通信回線を接続するようにする接続制御手段と、
を備えることを特徴とするサーバ装置。
【請求項１０】
発信元の通信端末と着信先の通信端末とが、サーバ装置と所定のネットワークを通じて接続されて形成される通信システムの前記着信先の通信端末であって、
ユーザの状態を反映する着信先状態情報を検出する検出手段と、
前記サーバ装置からの前記着信先状態情報の提供要求を受け付ける要求受付手段と、
前記要求受付手段を通じて、前記サーバ装置からの前記提供要求を受け付けた場合に、前記検出手段によって検出した前記着信先状態情報を前記サーバ装置に送信するようにする情報返信手段と
を備えることを特徴とする通信端末。
【請求項１１】
発信元の通信端末と着信先の通信端末とが、サーバ装置と所定のネットワークを通じて接続されて形成される通信システムにおいての通信接続方法であって、
前記発信元の通信端末においては、
ユーザの状態を反映する発信元状態情報を検出し、
通信回線の接続要求と、前記検出された発信元状態情報とを、前記サーバ装置に送信し、
前記サーバ装置においては、
前記発信元の通信端末からの前記接続要求を受け付けた場合に、目的とする着信先の通信端末に対して、当該着信先の通信端末のユーザの状況を反映する着信先状態情報の提供を要求する提供要求を形成し、これを前記着信先の通信端末に送信し、
前記着信先の通信端末においては、
前記サーバ装置からの前記提供要求を受け付けた場合に、ユーザの状態を反映する着信先状態情報を検出し、
検出した前記着信先状態情報を前記サーバ装置に送信し、
前記サーバ装置においては、
前記提供要求に応じて送信されてくる前記着信先からの着信先状態情報と、前記発信元からの前記発信元状態情報とを比較し、予め決められた条件を満足するか否かを判断し、
前記条件判断手段において、条件を満足していると判断された場合に、前記発信元の通信端末と、前記着信元の通信端末との間に通信回線を接続するようにする
ことを特徴とする通信接続方法。
【手続補正２】
【補正対象書類名】明細書
【補正対象項目名】００１４
【補正方法】変更
【補正の内容】
【００１４】
上記課題を解決するため、請求項１に記載の発明の通信端末は、
目的とする相手先通信端末との間で通信を行うようにするための通信手段と、
自機のユーザの状態を反映する情報を検出する検出手段と、
前記通信手段を通じて送信されてくる前記目的とする相手先通信端末のユーザの状態を反映する情報と、前記検出手段によって検出される情報とを比較し、予め決められた条件を満足するか否かを判断する条件判断手段と、
前記条件判断手段において、条件を満足していると判断された場合に、前記通信手段を通じて、前記相手先通信端末との間に通信回線を接続するように制御する制御手段と
を備えることを特徴とする。
【手続補正３】
【補正対象書類名】明細書
【補正対象項目名】００１５
【補正方法】変更
【補正の内容】
【００１５】
この請求項１に記載の発明の通信端末によれば、通信手段を通じて目的とする相手先通信端末から返信されてくる相手先通信端末のユーザの状態を反映する情報が受け付けられる。
【手続補正４】
【補正対象書類名】明細書
【補正対象項目名】００１６
【補正方法】変更
【補正の内容】
【００１６】
そして、条件判断手段によって、目的とする相手先通信端末からの情報と、検出手段によって検出される情報とが比較され、予め決められた条件を満足するか否かが判断され、条件を満足すると判断される場合においてのみ、制御手段によって、目的とする相手先通信端末との間に通信回線が接続するようにされる。
【手続補正５】
【補正対象書類名】明細書
【補正対象項目名】００１７
【補正方法】変更
【補正の内容】
【００１７】
このように、自機のユーザの状態を反映する情報と、目的とする通信の相手先通信端末のユーザの状態を反映する情報とが、予め決められる所定の条件を満足する場合にのみ通信回線を接続することができるようにされる。すなわち、自機のユーザの状態を反映する情報と、目的とする相手先通信端末のユーザの状態を反映する情報とが、例えば同じ場合や類似する場合にのみ通信回線を接続することができるようにされる。通信によるコミュニケーションを活発に行うことができる可能性の高い相手先通信端末との間において通信回線を接続することができるようにされる。また、目的とする相手先通信端末においては、何らかの設定操作を行うなどの面倒な手続を経ることなく、不必要な着信については何ら応答することなく回避することができるようにされる。
【手続補正６】
【補正対象書類名】明細書
【補正対象項目名】００１８
【補正方法】変更
【補正の内容】
【００１８】
この発明によれば、コミュニケーションを活発に行うことができる可能性の高い相手先通信端末との間においてのみ通信回線を接続することができる。また、着信先のユーザにとっては、望まない着信を自機においては何らの処理を行うことも無く、自動的に回避することができる。
【手続補正７】
【補正対象書類名】明細書
【補正対象項目名】００２３
【補正方法】変更
【補正の内容】
【００２３】
図１は、この第１の実施の形態の通信端末１００を説明するためのブロック図である。図１に示すように、この第１の実施の形態の通信端末１００は、大きく分けると、通信系１と、制御部２と、入力部３と、コンテンツ再生系４とからなるものである。通信系１は、アドレスデータベース１１と、アドレス管理部１２と、通信部１３と、条件判断部１４を備えたものである。また、コンテンツ再生系４は、コンテンツデータベース４１と、コンテンツ管理部４２と、コンテンツ再生部４３と、表示部４４と、放音部４５とを備えたものである。
【手続補正８】
【補正対象書類名】明細書
【補正対象項目名】００２７
【補正方法】変更
【補正の内容】
【００２７】
コンテンツデータベース４１は、種々のコンテンツデータを記憶保持するものである。この第１の実施の形態の通信装置１００において、コンテンツデータベース４１は、例えば、記録媒体として小型化されたハードディスクを備えたハードディスクドライブにより構成される。もちろん、ＤＶＤ（Digital Versatile Disc）やＣＤ（Compact Disc）などの光ディスクを記録媒体として用いる光ディスクドライブやＭＤ（Mini Disc（登録商標））などの光磁気ディスクを記録媒体として用いる光磁気ディスクドライブ、半導体メモリを記録媒体として用いるメモリドライブなどの種々のものを用いるように構成することも可能である。
【手続補正９】
【補正対象書類名】明細書
【補正対象項目名】０１２９
【補正方法】変更
【補正の内容】
【０１２９】
ステップＳ６の判断処理において、通信先の通信端末の状態情報やその関連情報、および生体情報の取得に成功したと判断したときには、通信部１３は、制御部２を通じて自機の状態情報やその関連情報および生体情報を取得し、これを条件判断部１４に供給する（ステップＳ９）。ここでは、（（再生、BBBBBBBBBB、音楽、AAAAAA、現代音楽）、（心拍数：６８．５））という状態が取得されたとする。
【手続補正１０】
【補正対象書類名】明細書
【補正対象項目名】０１６０
【補正方法】変更
【補正の内容】
【０１６０】
このように、この第４の実施の形態においては、接続の条件情報に基づいて接続先の通信端末の検索処理を行い、条件が一致する場合に通信回線を接続する処理を接続管理サーバ７００が行うようにしている。このようにすることによって、通信端末の負荷を軽減することができるようにされる。